(57)【要約】  水本体の水底上の被汚染物質を除去および処理するため、および、水本体の処理された水底を回復させるための成長用パケットを導入するための装置、システム、および、方法である。構造体は開放された面を備えた容器を含むことができる。容器はこの面を下方に向けて水本体の水底に沈下され得る。その結果、容器および水底は隔離された空間を形成する。構造体は、汚染物質を含む沈殿物質を含む混合物を形成するように、容器の内部で物質をかき混ぜるための少なくとも１つの攪拌装置を含むことができる。多数の少なくとも１つの導管が、混合物中の汚染物質を中和または排除するための処理（濾過、化学物質での処理など）のために容器の外に混合物を搬送するために容器に結合され得る。続いて、処理された混合物は少なくとも１つの導管を介して容器の内部に返送され得る。
2008509804.tif 000002
【特許請求の範囲】
【請求項１】
開口部を含む容器であって、前記開口部が水本体の底に対面し、且つ前記容器が前記水本体の前記底に直接に物理的に接触している時に、前記容器は、当該容器の内部で、物質を収容且つ懸濁させるように構成される、容器と、
前記容器と結合される閉鎖環部導管システムであって、前記閉鎖環部導管システムは、懸濁された前記物質を、前記容器の内部から処理システムに搬送するように構成され、前記処理システムは、前記容器の外部で動作可能に結合されており、且つ前記懸濁された物質を前記容器の内部に返送するように構成される、閉鎖環部導管システムと、を含む装置。
【請求項２】
前記容器は、前記懸濁物質を懸濁するように構成され、且つパドル、掘削錐、スプレー頭部、鞭、杭柱、流体分配装置、および、ガス分配装置からなる群から選択される攪拌装置を含む、請求項１に記載の装置。
【請求項３】
前記容器に結合された監視装置をさらに含み、前記監視装置は前記容器の内部の前記物質を監視するように構成される、請求項１に記載の装置。
【請求項４】
前記閉鎖環部導管システムに結合された濾過システムをさらに含み、前記濾過システムは前記導管システムを介して搬送された前記物質を濾過するように構成される、請求項１に記載の装置。
【請求項５】
前記容器に結合された真空システムをさらに含み、前記真空システムは前記水本体の前記底上で前記容器を開放可能に密封するために、前記容器の前記内部の圧力を低下させるように構成される、請求項１に記載の装置。
【請求項６】
前記容器に結合された試験実施システムをさらに含み、前記試験実施システムは前記容器の前記内部で前記物質を試験するように構成される、請求項１に記載の装置。
【請求項７】
被汚染物質を処理する方法であって、
開口部を含む容器を設ける工程と、
前記開口部が前記被汚染物質と対面し、且つ前記被汚染物質と直接に物理的に接触するように前記容器を位置決めする工程と、
前記被汚染物質を前記容器の前記内部で、収容且つ懸濁させる工程と、
前記容器に結合された閉鎖環部導管システムを設ける工程と、
前記収容且つ懸濁された被汚染物質を、前記閉鎖環部を介して前記容器内部から前記容器の外部に搬送する工程と、
前記収容且つ懸濁された物質を処理する工程と、
前記懸濁且つ収容された物質を、前記閉鎖環部を介して前記容器の前記内部に返送する工程と、を含む方法。
【請求項８】
前記物質を前記容器の前記内部で懸濁する前記工程は、パドル、掘削錐、スプレー頭部、鞭、杭柱、流体分配装置、および、ガス分配装置からなる群から選択された攪拌装置を使用して行われる、請求項７に記載の方法。
【請求項９】
前記容器に結合された監視装置を設ける工程と、
前記監視装置を使用して、前記容器の前記内部の前記物質を監視する工程と、をさらに含む、請求項７に記載の方法。
【請求項１０】
前記閉鎖環部導管システムに結合された濾過システムを設ける工程と、
前記濾過システムを使用して、前記閉鎖環部導管システムを介して搬送された前記物質を濾過する工程と、をさらに含む、請求項７に記載の方法。
【請求項１１】
前記容器に結合された真空システムを設ける工程と、
前記真空システムを使用して、前記水本体の前記底上の前記容器を開放可能に密封するように前記容器の前記内部の圧力を低下させる工程と、をさらに含む、請求項７に記載の方法。
【請求項１２】
前記容器に結合された試験実施システムを設ける工程と、
前記試験実施システムを使用して、前記容器の前記内部の前記物質を試験する工程と、をさらに含む、請求項７に記載の方法。
【請求項１３】
開口部を含む容器であって、前記開口部が水本体の底に対面し、且つ前記容器が前記水本体の前記底に直接に物理的に接触している時に、前記容器は、当該容器内部で物質を収容且つ懸濁するように構成される、容器と、
前記容器と結合される第１の導管であって、前記第１の導管は、前記収容且つ懸濁された物質を前記容器の内部から、前記容器の外部に搬送するように構成され、前記第１の導管は、フィルタ、および、ドリル頭部または掘削錐からなる群から選択されたアタッチメントを含む、第１の導管と、を含む装置。
【請求項１４】
前記容器に結合され、且つ前記容器の前記内部に前記懸濁物質を返送するように構成された第２の導管をさらに含む、請求項１３に記載の装置。
【請求項１５】
前記第２の導管は、植物の成長のための物質を収容している成長用パケットを前記容器の前記内部に搬送するようにさらに構成される、請求項１３に記載の装置。
【請求項１６】
前記容器は、前記懸濁物質を懸濁するように構成され、且つパドル、掘削錐、スプレー頭部、鞭、杭柱、流体分配装置、および、ガス分配装置からなる群から選択される攪拌装置を含む、請求項１３に記載の装置。
【請求項１７】
前記容器に結合された観察装置をさらに含み、前記観察装置は前記容器の前記内部を観察するように構成される、請求項１３に記載の装置。
【請求項１８】
前記第１の導管に結合された濾過システムをさらに含み、前記濾過システムは前記第１の導管を介して搬送された前記物質を濾過するように構成される、請求項１３に記載の装置。
【請求項１９】
前記容器に結合されたポンプをさらに含み、前記ポンプは前記水本体の前記底上で前記容器を開放可能に密封するために前記容器の前記内部の圧力を低下させるように構成される、請求項１３に記載の装置。
【請求項２０】
前記容器に結合されたサンプル現場をさらに含み、前記サンプル現場は試験実施のために前記第１の導管から前記物質のサンプルを受領するように構成される、請求項１３に記載の装置。
【請求項２１】
開口部を含む容器であって、前記容器の前記開口部が水本体の底に対面し、且つ前記容器が前記水本体の前記底に直接に物理的に接触している時に、前記容器は、当該容器内部に物質を収容且つ懸濁するように構成される、容器と、
前記容器に結合される閉鎖環部導管システムであって、前記閉鎖環部導管システムは、前記収容且つ懸濁された物質を、前記容器内部から処理システムに搬送するように構成され、前記処理システムは、前記容器の外部で動作可能に結合されており、また前記閉鎖環部導管システムは、前記収容且つ懸濁された物質を前記容器の前記内部に返送するように構成される、閉鎖環部導管システムと、
前記容器に結合され、且つ前記容器を位置決めするように構成された持上装置と、を含む装置。
【請求項２２】
処理のために水本体の底から物質を搬送する方法であって、
開口部を含む容器を設ける工程と、
前記開口部が前記水本体の前記底と対面し、且つ前記水本体の前記底と直接物理的に接触するように、前記容器を位置決めする工程と、
前記物質を前記容器内部に収容且つ懸濁する工程と、
前記容器に結合された開放環状導管システムを設ける工程と、
前記容器内部の物質を濾過する工程と、
前記収容且つ懸濁された物質を、前記開放環状導管システムを介して、前記容器の内部から前記容器の外部に搬送する工程と、を含む方法。
【請求項２３】
前記容器に結合された第２の導管を設ける工程と、
前記第２の導管を介して、前記懸濁された物質を前記容器の前記内部に返送する工程と、をさらに含む、請求項２２に記載の方法。
【請求項２４】
前記第２の導管を介して、植物の成長のための物質を収容する成長用パケットを前記容器の前記内部に搬送する工程をさらに含む、請求項２２に記載の方法。
【請求項２５】
前記収容且つ懸濁する工程は、
前記容器に結合される攪拌装置を設ける工程であって、前記攪拌装置は、パドル、掘削錐、スプレー頭部、鞭、杭柱、流体分配装置、および、ガス分配装置からなる群から選択される、攪拌装置を設ける工程をさらに含む、請求項２２に記載の方法。
【請求項２６】
前記容器に結合された観察装置を設ける工程をさらに含む、請求項２２に記載の方法。
【請求項２７】
前記第１の導管に結合された濾過システムを設ける工程をさらに含む、請求項２２に記載の方法。
【請求項２８】
前記容器に結合されたポンプを設ける工程と、
前記ポンプを使用して、前記水本体の前記底上の前記容器を開放可能に密封するように前記容器の前記内部の圧力を低下させる工程と、をさらに含む、請求項２２に記載の方法。
【請求項２９】
前記第１の導管に結合されたサンプル現場を設ける工程と、
試験実施のために前記第１の導管において前記物質のサンプルを前記サンプル現場に搬送する工程と、をさらに含む、請求項２２に記載の方法。
【請求項３０】
容器であって、前記容器の内部と外部との間で、空気および水を交換するように構成され、且つ水本体の底に沈むように構成され、且つ植物の成長を加速させるための内蔵成長物質を収容する、容器を含む、成長用パケット。
【請求項３１】
前記容器に収納された損害を受けた生態系を再開させるための物質をさらに含む、請求項３０に記載の成長用パケット。
【請求項３２】
水本体の底における成長環境を改善するための方法であって、
容器を設ける工程であって、前記容器は、当該容器の内部と外部との間で空気および水を交換するように構成される、工程と、
前記容器内に植物の成長を加速させるための内蔵成長物質を供給する工程と、
前記容器を前記水本体の前記底に沈める工程と、を含む方法。
【請求項３３】
前記容器内に損害を受けた生態系を再開させるための物質を供給する工程をさらに含む請求項３２に記載の方法。
【請求項３４】
容器であって、前記容器の内部と外部との間で空気および水を交換するように構成され、且つ水本体の水面に浮くように構成される、容器と、
植物の成長を加速させるための前記容器内の内蔵成長物質と、を含む成長用パケット。
【請求項３５】
前記容器の前記内部に収納され、且つ前記成長用パケットを前記水本体の前記水面に浮かせるように構成された少なくとも１つの浮袋をさらに含む、請求項３４に記載の成長用パケット。
【請求項３６】
前記容器内に収容された損害を受けた生態系を再開させるための物質をさらに含む、請求項３４に記載の成長用パケット。
【請求項３７】
水本体における成長環境を改善するための方法であって、
容器を設ける工程であって、前記容器は、当該容器の内部と外部との間で空気および水を交換するように構成された工程と、
前記容器内に植物の成長を加速させるための内蔵成長物質を供給する工程と、
前記容器を浮かせる工程と、を含む方法。
【請求項３８】
前記容器の前記内部に収納された少なくとも１つの浮袋を設ける工程であって、前記少なくとも１つの浮袋は、前記水本体の前記水面に前記容器を浮かせるように構成される工程をさらに含む、請求項３７に記載の方法。
【請求項３９】
前記容器内に損傷を受けた生態系を再開させるための物質を供給する工程をさらに含む、請求項３７に記載の方法。
【請求項４０】
容器であって、前記容器の内部と外部との間で空気および水を交換するように構成され、且つ少なくとも１つの質量が動作可能に結合され、且つ植物の成長を加速させるための内蔵成長物質を収容する、容器を含む、成長用パケット。
【請求項４１】
前記少なくとも１つの質量は前記容器の内部に収納される、請求項４０に記載の成長用パケット。
【請求項４２】
水本体の底における成長環境を改善するための方法であって、
容器を設ける工程であって、前記容器の内部と外部との間で空気および水を交換するように構成された工程と、
前記容器内に内蔵植物成長のための物質を供給する工程と、
前記容器に結合された少なくとも１つの質量物を設ける工程と、
前記少なくとも１つの質量物を使用して、前記容器を前記水本体の前記底に沈める工程と、を含む方法。
【請求項４３】
前記少なくとも１つの質量物は前記容器の内部に収納される、請求項４２に記載の方法。
【請求項４４】
容器であって、前記容器の内部と外部との間で空気および水を交換するように構成され、且つ内蔵植物成長のための物質を含む容器と、
前記容器に結合された少なくとも１つの浮きと、を含む成長用パケット。
【請求項４５】
前記少なくとも１つの浮き物体は前記容器内部に収納される、請求項４４に記載の成長用パケット。
【請求項４６】
水本体における成長環境を改善するための方法であって、
動作可能に結合された浮きを有する容器を設ける工程であって、前記容器は前記容器の内部と外部との間で空気および水を交換するように構成される、工程と、
前記容器内に収納された内蔵植物成長のための物質を供給する工程と、を含む方法。
【請求項４７】
前記少なくとも１つの浮き物体は前記容器内部に収納される、請求項４６に記載の方法。
【請求項４８】
被汚染物質処理システムであって、
開口部を含む容器であって、前記開口部が水本体の底上の被汚染物質の層に対面し、且つ前記開口部が前記被汚染物質の頂部層に直接に物理的に接触している時に、前記容器の内部に前記被汚染物質を収容且つ懸濁するように構成され、ならびに、前記被汚染物質の前記頂部層の所定の厚さが、前記容器の前記内部で懸濁されるまで前記被汚染物質を懸濁するように構成される、容器を含む、システム。
【請求項４９】
前記容器に結合される監視装置であって、前記被汚染物質の前記頂部層の前記所定の厚さが前記容器の前記内部で懸濁されたか否かを決定するように構成される、監視装置をさらに含む、請求項４８に記載のシステム。
【請求項５０】
前記監視装置はソナー装置である、請求項４９に記載のシステム。
【請求項５１】
前記容器に結合される第１の導管であって、前記容器の前記内部に処理用化学物質を搬送するように構成される、第１の導管をさらに含む、請求項４８に記載のシステム。
【請求項５２】
水本体の底における被汚染物質を処理するための方法であって、
開口部を含む容器を設ける工程と、
前記開口部が前記水本体の前記底上の被汚染物質の層に対面し、且つ前記被汚染物質の頂部層と直接に物理的に接触するように、前記容器を定置する工程と、
前記被汚染物質の前記頂部層の所定の厚さが、前記容器の前記内部で懸濁されるまで、前記被汚染物質を懸濁する工程と、を含む方法。
【請求項５３】
前記容器に結合された監視装置を設ける工程と、
前記監視装置を使用して、前記被汚染物質の前記頂部層の前記所定の厚さが、前記容器の前記内部で懸濁されたか否かを決定する工程と、をさらに含む、請求項５２に記載の方法。
【請求項５４】
前記監視装置はソナー装置である、請求項５２に記載の方法。
【請求項５５】
前記容器に結合された第１の導管を設ける工程と、
処理用化学物質を前記第１の導管を介して前記容器の前記内部に搬送する工程と、をさらに含む、請求項５２に記載の方法。
【請求項５６】
水本体の底における沈殿物層中に成長用パケットを植え付けるための植付システムであって、
前記沈殿物層の表面形状に沿って移動するように構成された植付そりと、
前記植付そりに結合され、且つ前記沈殿物層の表面形状に沿って移動する前記植付そりに応じて、前記沈殿物層中に溝を形成するように構成される、前側プラウと、
前記植付そりに結合され、且つ前記沈殿物層の表面形状に沿って移動する前記植付そりに応じて、前記溝の中に沈殿物質を移動するように構成される、後側プラウと、を含む成長システム。
【請求項５７】
前記植付そりに結合され、且つ成長用パケットを前記溝内に送達するように構成される位置合わせ導管をさらに含む、請求項５６に記載のシステム。
【請求項５８】
前記位置合わせ導管に結合され、柔軟であり、且つ前記成長用パケットを前記位置合わせ導管に搬送するように構成される搬送導管をさらに含む、請求項５７に記載のシステム。
【請求項５９】
前記搬送導管に結合され、且つ前記搬送導管および前記位置合わせ導管を介して前記溝内に送達される成長用パケットを保存するように構成される成長用パケット容器をさらに含む、請求項５８に記載のシステム。
【請求項６０】
第１の端部および第２の端部を含む傾斜バーをさらに含み、前記第１の端部は前記位置合わせ導管に結合され、且つ前記第２の端部は浮き手段に結合されるように構成され、水面上を前進する前記浮き手段に応じて、前記植付そりが前記沈殿物層の表面形状に沿って移動するように、前記傾斜バーが前記第２の端部の周囲を回転すべく構成される、請求項５７に記載のシステム。
【請求項６１】
前記傾斜バーに結合され、且つ垂直に滑動するように構成された垂直バーをさらに含む、請求項６０に記載のシステム。
【請求項６２】
水本体の底の沈殿物層内に成長用パケットを植え付ける方法であって、
前側プラウおよび後側プラウを含む植付そりを設ける工程と、
前記前側プラウを使用して、前記沈殿物層の表面形状に沿って移動する前記植付そりに応じて、前記沈殿物層中に溝を形成する工程と、
前記後側プラウを使用して、前記沈殿物層の表面形状に沿って移動する前記植付そりに応じて、前記溝の中に沈殿物質を移動する工程と、を含む方法。
【請求項６３】
前記植付そりに結合された位置合わせ導管を設ける工程と、
前記位置合わせ導管を介して、成長用パケットを前記溝内に送達する工程と、をさらに含む、請求項６２に記載の方法。
【請求項６４】
前記位置合わせ導管に結合された柔軟な搬送導管を設ける工程と、
前記搬送導管を介して、前記位置合わせ導管に前記成長用パケットを搬送する工程と、をさらに含む、請求項６３に記載の方法。
【請求項６５】
前記搬送導管に結合された成長用パケット容器と、
前記搬送導管および前記位置合わせ導管を介して、前記溝内に送達される成長用パケットを前記成長用パケット容器内に保存する工程と、をさらに含む、請求項６４に記載の方法。
【請求項６６】
第１の端部および第２の端部を有する傾斜バーを設ける工程であって、前記第１の端部は前記位置合わせ導管に結合され、且つ前記第２の端部は浮きに結合されるように構成される、傾斜バーを設ける工程と、
水面上を前進する前記浮きに応じて、前記植付そりを前記沈殿物層の表面形状に沿って移動させるように、前記第２の端部の周囲で前記傾斜バーを回転する工程と、をさらに含む、請求項６３に記載の方法。
【請求項６７】
前記傾斜バーに結合された垂直バーを設ける工程と、
水面上を前進する前記浮き手段に応じて、前記植付そりが前記沈殿物層の表面形状に沿って移動することに役立つように、前記垂直バーを垂直に滑動させる工程と、をさらに含む、請求項６６に記載の方法。
【請求項６８】
水本体中に密閉空間を形成するための構造体であって、
第１、第２、第３、および、第４の側板、天板、ならびに、開口部を含む多角形形状の容器であって、前記多角形形状の容器は、前記開口部が前記水本体の前記底に対面して、前記水本体中に沈下されるように構成される、容器と、
それぞれ前記第１、前記第２、前記第３、および、前記第４の側板に接触し、且つ結合された第１、第２、第３、および、第４のカーテン板であって、前記水本体の前記底に沈下されるように構成される、第１、第２、第３、および、第４のカーテン板と、を含む構造体。
【請求項６９】
前記第１および前記第２のカーテン板は、前記長方形容器の各反対側にあり、前記第３および前記第４のカーテン板は前記長方形容器の各反対側にあり、かつ
前記第１および前記第２のカーテン板は、前記容器の前記第１および前記第２の側板よりも長さが長く、前記第３および前記第４のカーテン板は、前記容器の前記第３および前記第４の側板と長さが同じである、請求項６８に記載の構造体。
【請求項７０】
第１および第２の杭打機と、
それぞれ前記第１および前記第２の杭打機の内部を滑動するように構成される、第１および第２のピストンと、
前記第１および第２のピストンを、それぞれ前記第１のカーテン板に結合する第１および第２の単一平面コネクタであって、前記第１のカーテン板が前記容器の前記第１の側板に平行な平面内でのみ回転することを可能にする第１および第２の単一平面コネクタと、をさらに含む、請求項６９に記載の構造体。
【請求項７１】
第３および第４の杭打機と
それぞれ前記第３および前記第４の杭打機の内部を滑動するように構成された第３および第４のピストンと、
前記第３および第４のピストンをそれぞれ前記第２のカーテン板に結合する第３および第４の単一平面コネクタであって、前記第２のカーテン板が前記容器の前記第２の側板に平行な平面内でのみ回転することを可能にする第３および第４の単一平面コネクタと、をさらに含む、請求項７０に記載の構造体。
【請求項７２】
前記第１および第２の杭打機の各々は、前記容器に固定された点の周囲で、且つ前記第１の側板に平行な平面内でのみ回転するように構成され、
前記第３および第４の杭打機の各々は、前記容器に固定された点の周囲で、且つ前記第２の側板に平行な平面内でのみ回転するように構成される、請求項７１に記載の構造体。
【請求項７３】
水本体の底に密閉空間を形成するための方法であって、
第１、第２、第３、および、第４の側板、天板、ならびに、開口部を含む多角形形状の容器を設ける工程であって、前記容器の開面が前記水本体の底に面する、工程と、
それぞれ前記第１、前記第２、前記第３、および、前記第４の側板に接触し、且つ結合された第１、第２、第３、および、第４のカーテン板を設ける工程と、
前記第１、前記第２、前記第３、および、前記第４のカーテン板を、前記水本体の前記底に沈下させる工程と、を含む方法。
【請求項７４】
前記第１および前記第２のカーテン板は、前記長方形容器の各反対側にあり、前記第３および前記第４のカーテン板は前記長方形容器の各反対側にあり、且つ
前記第１および前記第２のカーテン板は、前記容器の前記第１および前記第２の側板よりも長さが長く、前記第３および前記第４のカーテン板は、前記容器の前記第３および前記第４の側板と長さが同じである、請求項７３に記載の方法。
【請求項７５】
前記第１の側板に結合された第１および第２の杭打機を設ける工程と、
それぞれ前記第１および前記第２の杭打機の内部を滑動するように構成された第１および第２のピストンを設ける工程と、
前記第１および第２のピストンをそれぞれ前記第１のカーテン板に結合する第１および第２の単一平面コネクタを設ける工程と、
前記第１のカーテン板を、前記水本体の前記底に沈下された前記第１のカーテン板に応じて、前記容器の前記第１の側板に平行な平面内でのみ回転させる工程と、をさらに含む、請求項７４に記載の方法。
【請求項７６】
前記第２の側板に結合された第３および第４の杭打機を設ける工程と、
それぞれ前記第３および前記第４の杭打機の内部を滑動するように構成された第３および第４のピストンを設ける工程と、
前記第３および第４のピストンをそれぞれ前記第２のカーテン板に結合する第３および第４の単一平面コネクタを設ける工程と、
前記第２のカーテン板を、前記水本体の前記底に沈下された前記第２のカーテン板に応じて、前記容器の前記第２の側板に平行な平面内でのみ回転させる工程と、をさらに含む、請求項７５に記載の方法。
【請求項７７】
前記第１および第２の杭打機の各々を、前記水本体の前記底に沈下された前記第１のカーテン板に応じて、前記容器に固定された点の周囲で、且つ前記第１の側板に平行な平面内でのみ回転させる工程と、
前記第３および第４の杭打機の各々を、前記水本体の前記底に沈下された前記第２のカーテン板に応じて、前記容器に固定された点の周囲で、且つ前記第２の側板に平行な平面内でのみ回転させる工程と、をさらに含む、請求項７６に記載の方法。
【請求項７８】
前記水本体の前記底の傾斜方向が前記第３のカーテン板から前記第４のカーテン板となるように前記容器を位置決めする工程をさらに含む、請求項７４に記載の方法。
【請求項７９】
内部に少なくとも１つの成長用パケットを有する生分解性材料で作られる毛布状巻物であって、前記成長用パケットは種子または挿し木または苗を含む、毛布状巻物と、
杭および成長用パケットの送達システムであって、前記杭および成長用パケットの送達システムは、杭供給装置、杭送達導管を含み、前記杭は、杭打機ピストンの軌跡、毛布状巻物誘導システム内を移動し、前記毛布状巻物誘導システムは、前記毛布状巻物が前記杭打機ピストンの前記軌跡を通過するように、前記杭が前記杭打機ピストンにより土壌中にねじ込まれるように、土壌上の前記毛布状巻物の敷設を誘導する、送達システムと、を含む毛布状巻物植付システム。
【請求項８０】
前記毛布状巻物誘導システムは溝を有する車輪である、請求項７９に記載のシステム。
【請求項８１】
前記毛布状巻物の前記生分解性材料は黄麻布である、請求項７９に記載のシステム。
【請求項８２】
前記毛布状巻物は植物栄養物質を含む、請求項７９に記載のシステム。
【請求項８３】
前記杭は、木材、プラスチック、または、金属で作られる、請求項７９に記載のシステム。
【請求項８４】
前記土壌は、河川の底の一部、水本体の辺縁部、または、海岸線の一部である、請求項７９に記載のシステム。
【請求項８５】
前記毛布状巻物は、約３０．５ｃｍから３０５ｍ（約１から１，０００フィート）の長さであり、且つ約１５．２ｃｍから約３０５ｃｍ（約６インチから約１０フィート）の幅である、請求項７９に記載のシステム。
【請求項８６】
前記成長用パケットは、直径が約２．５４ｃｍから約３０．５ｃｍ（約１から約１２インチ）である、請求項７９に記載のシステム。
【請求項８７】
毛布状巻物を設ける工程であって、前記毛布状巻物は少なくとも１つの成長用パケットを含む、工程と、
杭および成長用パケットの送達システムを設ける工程であって、前記杭および成長用パケットの送達システムは、杭供給装置、杭送達導管を含み、前記杭は、杭打機ピストンの軌跡、毛布状巻物誘導システム内に移動し、前記毛布状巻物誘導システムは、前記杭が、前記杭打機ピストンにより土壌中にねじ込まれるように、前記毛布状巻物が前記杭打機ピストンの前記軌跡を通過するように、前記土壌上への前記毛布状巻物の敷設を駆動する、送達システムと、を含む工程と、を含む植え付ける方法。
【請求項８８】
前記毛布状巻物誘導システムは溝を有する車輪である、請求項８７に記載の方法。
【請求項８９】
前記毛布状巻物は黄麻布で作られる、請求項８７に記載の方法。
【請求項９０】
前記毛布状巻物は植物栄養物質を含む、請求項８７に記載の方法。
【請求項９１】
前記杭は木材またはプラスチックまたは金属から作られる、請求項８７に記載の方法。
【請求項９２】
前記土壌は、河川の底の一部、水本体の辺縁部、または、海岸線の一部である、請求項８７に記載の方法。
【請求項９３】
前記毛布状巻物は、約３０．５ｃｍから３０５ｍ（約１から１，０００フィート）の長さであり、且つ約１５．２ｃｍから約３０５ｃｍ（約６インチから約１０フィート）の幅である、請求項８７に記載の方法。
【請求項９４】
前記成長用パケットは、直径が約２．５４ｃｍから約３０．５ｃｍ（約１から約１２インチ）である、請求項８７に記載の方法。
【発明の詳細な説明】
【技術分野】
【０００１】
本発明は、毒性廃棄物の清浄化に関し、より詳細には、水本体（水主要部）からの被汚染物質の除去のための装置、システム、および、方法に関する。
【背景技術】
【０００２】
湖、貯水池、河川、および、小川などの自然発生したいくつかの水本体が、例えばポリ塩化ビフェニール（以下、「ＰＣＢ」）または塩化ダイオキシンなどの化学物質を持つ物質で汚染されていることが見出されている。
【発明の開示】
【発明が解決しようとする課題】
【０００３】
これらの被汚染物質の除去のための装置、システム、および、方法に対する必要性がある。
【課題を解決するための手段】
【０００４】
本発明の第１の態様は、開口部を含む容器であって、開口部が水本体の底に対面し、且つ容器が水本体の底に直接に物理的に接触している時、容器は容器内部に物質を収容且つ懸濁させるように構成された容器と、容器と結合され、且つ懸濁された物質を、容器内部から、容器外部に動作可能に結合された処理システムに搬送し、且つ懸濁された物質を容器内部に返送するように構成された閉鎖環部導管システムと、を含む装置を提供する。
【０００５】
本発明の第２の態様は、物質を処理する方法であって、開口部を含む容器を設ける工程と、開口部が被汚染物質と対面し、且つ被汚染物質と直接に物理的に接触するように容器を位置決めする工程と、被汚染物質を容器内部に収容且つ懸濁させる工程と、容器に結合された閉鎖環部導管システムを設ける工程と、収容され、且つ懸濁された被汚染物質を閉鎖環部を介して容器内部から容器の外部に搬送する工程と、収容され、且つ懸濁された物質を処理する工程と、懸濁され、且つ収容された物質を閉鎖環部を介して容器内部に返送する工程と、を含む方法を提供する。
【０００６】
本発明の第３の態様は、開口部を含む容器であって、開口部が水本体の底に対面し、且つ容器が水本体の底に直接に物理的に接触している時、容器は容器内部に物質を収容且つ懸濁するように構成された容器と、容器と結合され、ならびに、収容され、且つ懸濁された物質を、容器内部から、容器外部に搬送するように構成された第１の導管であって、フィルタ、および、ドリル頭部または掘削錐からなる群から選択されたアタッチメント（付属部品）を含む導管と、を含む装置を提供する。
【０００７】
本発明の第４の態様は、開口部を含む容器であって、容器の開口部が水本体の底に対面し、且つ容器が水本体の底に直接に物理的に接触している時、容器は容器内部に物質を収容且つ懸濁するように構成された容器と、容器と結合され、ならびに、収容され、且つ懸濁された物質を、容器内部から、容器外部に動作可能に結合された処理システムに搬送し、ならびに、収容され、且つ懸濁された物質を容器内部に返送するように構成された閉鎖環部導管システムと、容器に結合され、且つ容器を位置決めするように構成された持上装置と、を含む装置を提供する。
【０００８】
本発明の第５の態様は、処理のために水本体の底から物質を搬送する方法であって、開口部を含む容器を設ける工程と、開口部が水本体の底と対面し、且つ水本体の底と直接に物理的に接触するように容器を位置決めする工程と、物質を容器内部に収容且つ懸濁する工程と、容器に結合された開放環状導管システムを設ける工程と、容器内部の物質を濾過する工程と、収容され、且つ懸濁された物質を開放環状導管システムを介して容器の内部から容器の外部に搬送する工程と、を含む方法を提供する。
【０００９】
本発明の第６の態様は、容器を含む成長用パケットであって、容器は容器の内部と外部との間で空気および水を交換するように構成され、且つ容器は水本体の底に沈むように構成され、且つ容器は植物の成長を加速させるための内蔵成長物質を含む成長用パケットを提供する。
【００１０】
本発明の第７の態様は、水本体の底における成長環境を改善するための方法であって、容器を設ける工程であって、容器は容器の内部と外部との間で空気および水を交換するように構成された工程と、容器内で植物の成長を加速させるための内蔵成長物質を供給する工程と、容器を水本体の底に沈める工程と、を含む方法を提供する。
【００１１】
本発明の第８の態様は、容器であって、容器の内部と外部との間で空気および水を交換するように構成され、且つ水本体の水面に浮くように構成された容器と、植物の成長を加速させるための容器内の内蔵成長物質と、を含む成長用パケットを提供する。
【００１２】
本発明の第９の態様は、水本体における成長環境を改善するための方法であって、容器を設ける工程であって、容器は容器の内部と外部との間で空気および水を交換するように構成された工程と、容器内で植物の成長を加速させるための内蔵成長物質を供給する工程と、容器を浮かせる工程と、を含む方法を提供する。
【００１３】
本発明の第１０の態様は、容器であって、容器の内部と外部との間で空気および水を交換するように構成され、且つ少なくとも１つの質量が動作可能に容器に結合され、且つ植物の成長を加速させるための内蔵成長物質を含む容器を含む成長用パケットを提供する。
【００１４】
本発明の第１１の態様は、水本体の底における成長環境を改善するための方法であって、容器を設ける工程であって、容器は容器の内部と外部との間で空気および水を交換するように構成された工程と、容器内で内蔵植物の成長のための物質を供給する工程と、容器に結合された少なくとも１つの質量を設ける工程と、容器を少なくとも１つの質量と共に水本体の底に沈める工程と、を含む方法を提供する。
【００１５】
本発明の第１２の態様は、容器であって、容器の内部と外部との間で空気および水を交換するように構成され、且つ内蔵植物の成長のための物質を含む容器と、容器に結合された少なくとも１つの浮きと、を含む成長用パケットを提供する。
【００１６】
本発明の第１３の態様は、水本体における成長環境を改善するための方法であって、動作可能に結合された浮きを有する容器を設ける工程であって、容器は容器の内部と外部との間で空気および水を交換するように構成された工程と、容器内に収納された内蔵植物の成長のための物質を供給する工程と、を含む方法を提供する。
【００１７】
本発明の第１４の態様は、被汚染物質処理システムであって、開口部を含む容器であって、開口部が水本体の底上の被汚染物質の層に対面し、且つ開口部が被汚染物質の頂部層に直接に物理的に接触している時、容器は容器内部に被汚染物質を収容且つ懸濁するように構成され、ならびに、被汚染物質の頂部層の所定の厚さが容器の内部に懸濁されるまで被汚染物質を懸濁するように構成された容器を含むシステムを提供する。
【００１８】
本発明の第１５の態様は、水本体の底における被汚染物質を処理するための方法であって、開口部を含む容器を設ける工程と、開口部が水本体の底上の被汚染物質の層に対面し、且つ被汚染物質の頂部層と直接に物理的に接触するように容器を定置する工程と、被汚染物質の頂部層の所定の厚さが容器の内部で懸濁されるまで被汚染物質を懸濁する工程と、を含む方法を提供する。
【００１９】
本発明の第１６の態様は、水本体の底の沈殿物層中に成長用パケットを植え付けるための植付システムであって、沈殿物層の表面形状に沿って移動するように構成された植付そりと、植付そりに結合され、且つ沈殿物層の表面形状に沿って移動する植付そりに応じて沈殿物層中に溝を形成するように構成された前側プラウと、植付そりに結合され、且つ沈殿物層の表面形状に沿って移動する植付そりに応じて溝の中に沈殿物質を移動するように構成された後側プラウと、を含むシステムを提供する。
【００２０】
本発明の第１７の態様は、水本体の底の沈殿物層の中に成長用パケットを植え付ける方法であって、前側プラウおよび後側プラウを含む植付そりを設ける工程と、前側プラウを使用して沈殿物層の表面形状に沿って移動する植付そりに応じて沈殿物層中に溝を形成する工程と、後側プラウを使用して沈殿物層の表面形状に沿って移動する植付そりに応じて溝の中に沈殿物質を移動する工程と、を含む方法を提供する。
【００２１】
本発明の第１８の態様は、水本体中に密閉空間を形成するための構造体であって、第１、第２、第３、および、第４の側板、天板、ならびに、開口部を含む多角形形状の容器を含み、多角形形状の容器は開口部が水本体の底に対面して水本体中に沈下されるように構成され、ならびに、第１、第２、第３、および、第４のカーテン板はそれぞれ第１、第２、第３、および、第４の側板に接触し、且つ結合され、第１、第２、第３、および、第４のカーテン板は水本体の底に沈下されるように構成される構造体を提供する。
【００２２】
本発明の第１９の態様は、水本体の底上に密閉空間を形成するための方法であって、第１、第２、第３、および、第４の側板、天板、ならびに、開口部を含む多角形形状の容器を設ける工程と、それぞれ第１、第２、第３、および、第４の側板に接触し、且つ結合された第１、第２、第３、および、第４のカーテン板を設ける工程と、開口部を水本体の底に対面させて多角形形状の容器を水本体中に位置決めする工程と、第１、第２、第３、および、第４のカーテン板を水本体の底に沈下させる工程と、を含む方法を提供する。
【００２３】
本発明の第２０の態様は、内部に少なくとも１つの成長用パケットを有する生分解性材料で作られた毛布状巻物（ｂｌａｎｋｅｔ  ｒｏｌｌ）であって、成長用パケットは種子または挿し木または苗を含む毛布状巻物と、杭および成長用パケットの送達システムであって、杭供給装置、杭送達導管を含み、杭は杭打機ピストンの軌跡内を移動するシステムと、毛布状巻物誘導システムであって、杭が杭打機ピストンにより土壌中にねじ込まれるように、毛布状巻物が杭打機ピストンの軌跡を通過するように、土壌上の毛布状巻物の敷設を誘導するシステムと、を含む毛布状巻物植付システムを提供する。
【００２４】
本発明の第２１の態様は、毛布状巻物を設ける工程であって、毛布状巻物は少なくとも１つの成長用パケットを含む工程と、杭および成長用パケットの送達システムを設ける工程であって、杭および成長用パケットの送達システムは杭供給装置、杭送達導管を含み、杭は杭打機ピストンの軌跡内に移動するシステムと、毛布状巻物誘導システムであって、杭が杭打機ピストンにより土壌中にねじ込まれるように、毛布状巻物が杭打機ピストンの軌跡を通過するように、土壌上の毛布状巻物の敷設を駆動するシステムと、を含む工程と、を含む植え付ける方法を提供する。
【発明を実施するための最良の形態】
【００２５】
図１は閉鎖環部抽出弁当箱（Ｃｌｏｓｅｄ  Ｌｏｏｐ  Ｅｘｔｒａｃｔｉｏｎ  Ｌｕｎｃｈ  Ｂｏｘ、以下、「ＣＬＥＬＢ」）などの装置１００を示し、装置１００の開放側面９０は水本体８３の水底（底）８０に対面することができ、容器１１０の辺縁部８２は、収容されている水および懸濁された沈殿物１５２、収容されている沈降沈殿物７８、および、収容されている泥土８５が水および懸濁沈殿物１５０の収容されていない領域、沈降沈殿物７８’、および、容器１１０の外の未収容泥土８５’から実質的に完全に隔離または分離され得るように、水本体８３の水底８０と直接かつ物理的に接触することができる。水本体８３は、水および懸濁沈殿物１５０ならびに水本体８３の水底８０を含むことができ、水本体８３の水底８０は沈殿物７８’、泥土８５’、および、基礎岩盤８７を含むことができ、且つ例えば、岸沿いの水域、河川の辺縁部に沿った水域、湖畔の辺縁部に沿った水域、または、海岸の辺縁部に沿った水域などのように陸地１６０に隣接することができる。代案として、容器１１０の辺縁部８２は、収容されている水および懸濁された沈殿物１５２、収容されている沈降沈殿物７８、および、収容されている泥土８５が水および懸濁沈殿物１５０の収容されていない領域、収容されていない沈降沈殿物７８’、および、収容されていない泥土８５’から実質的に完全に隔離または分離され得るように泥土８５および８５’と直接かつ物理的に接触することができる。代案として、容器１１０の辺縁部８２は、収容されている水および懸濁された沈殿物１５２、および、収容されている沈降沈殿物７８が水および懸濁沈殿物１５０の収容されていない領域、収容されていない沈降沈殿物７８’から実質的に完全に隔離または分離され得るように沈降沈殿物７８および７８’と直接かつ物理的に接触することができる。収容されている沈殿沈降物部分７８および収容されていない沈降沈殿物部分７８’は、例えば被汚染物質であってよく、収容されている泥土部分８５および収容されていない泥土部分８５’は、粘着性を持つように土と水の混合物であってよく、基礎岩盤部分８７は岩、頁岩、または、泥土８５および８５’、ならびに／または、沈殿物７８および７８’を支持する他の硬い物質であってよい。いくつかの場合、収容された沈殿物の部分７８および収容されていない沈殿物部分７８’、ならびに／または、水本体８３の水底８０の収容されている泥土部分８５および収容されていない泥土部分８５’のいくつかまたは全ては、いくつかのレベルの化学的汚染が、人間、水本体８３中に生息する魚または植物の生命などの野生生物に対して非健康的または毒性をもつ可能性があるように、いくつかのレベルの化学的汚染を含むことができる。化学的汚染は、水銀、鉛などの重金属、または、クロム、マグネシウム、マンガン、銅などの他の金属、または、ポリ塩化ビフェニール（ＰＣＢ）、ダイオキシンなどの有機物、または、トリクロロエチレン、トルエン、もしくは、ベンゼンなどのハロゲン化溶媒もしくは芳香族溶媒であってよい。前記レベルは、例えば重量による１兆分率で０から１００ほどに低いか、または、化学的汚染のレベルを定量するための最近の分析機器の最小検出限界とする���とができる。汚染のレベルが不健康または毒性を持つ可能性がある場合、図１に示された如くの装置１００を使用して水底８０から化学的に汚染された部分を除去することが望ましいと、または、必要とすることができる。
【００２６】
容器１１０は、収容されている領域９３を表示するために使用することができる防水カメラなどの目視用装置１０５ａおよび１０５ｂを含むことができる。容器１１０は、防水壁を有する隔室箱または他のいずれかの適切な容器とすることができる。容器１１０はプラスチック、ゴム、または、金属などの堅固な材料で作成されることができる。代案として、容器１１０は柔軟なゴムなどの柔軟な材料で作成することができる。容器１１０は、多角形、立方体、円筒形、球形、ピラミッド型、菱形、または、円錐形などのいずれかの適切な固い幾何学形状を有することができる。導管７０は、目視用装置１０５ａおよび１０５ｂに電気を供給するため、且つ収容されている領域９３が遠隔目視のために他の場所に投影され得るデータハイウェイを提供するための同軸ケーブルまたは他の適切な配線を収容することができる。加えて、目視用装置は、防水電力駆動灯などの収容されている領域９３を照明するための照明または化学発光により照明され得る照明スティックが装備され得る。
【００２７】
装置１００は「閉鎖環部」導管システム４５を含むことができ、「閉鎖環部」導管システム４５の一部は容器１１０からそれぞれ出口ライン１４５ａ’、１４５ｂ’、および、１４５ｃ’を介した経路ＧＡ、ＩＭ、および、ＬＮ、ならびに、弁５１を介してフィルタシステムなどの処理システム１４０への処理システム供給ライン６０により規定され得、処理システム１４０はポンプを含むことができる。「閉鎖環部」導管システム４５の残りの部分は、それぞれ返送ライン１４７ａ’、１４７ｂ’、および、１４７ｃ’を介して容器１１０への経路ＤＨ、ＥＪ、および、ＦＫ、ならびに、弁５２および５３を介して処理システム出口ライン６２、１４９、および、１５１により規定され得る。濾過システムおよびポンプに加えて、処理システム１４０は、目視、監視、加圧、および、真空の制御、材料の搬送、試験、加工、および、処理の技術を含むことができる。処理技術は前述の処理、例えば、添加物、還元剤、触媒、微生物、安定化剤、接着剤、荷電粒子、ガス、または、元素を使用した化学処理による有害な化学物質または元素の除去を含むことができる。処理システム１４０を含む装置１００は実験室から、且つ環境に制御された臨床設定値を持ち込むことができる。装置１００は遮断弁５０〜５５および６９も含むことができる。
【００２８】
図１に戻ると、水本体８３の水底８０がポリ塩化ビフェニール（ＰＣＢ）またはトリクロロエチレン（ＴＣＥ）またはＰｂ、Ａｓ、Ｃｕ、もしくは、Ｈｇなどの重金属などの動物および人間に有害となり得る化学物質で汚染されている可能性がある時に、化学的汚染は水本体８３の水中および懸濁沈殿物１５０および１５２中に、および／または、沈降沈殿物７８および７８’中に、および／または、泥土８５および８５’中に、および／または、水本体８３の水底８０の基礎岩盤８７上に集中する可能性がある。沈殿物７８および７８’は沈泥粒子を含むことができ、細かい沈泥は約０．００２ｍｍから約０．００６ｍｍの直径を有し、中型の沈泥は約０．００６ｍｍから約０．００２ｍｍの直径を有し、且つ粗い沈泥は約０．０２ｍｍから約０．０６３ｍｍとすることができる。化学的汚染の除去に関与する清浄化処理は沈泥などの沈殿物７８および７８’の除去または浄化処理をしばしば対象とする。なぜなら、化学的汚染の最大濃度は、水および懸濁沈殿物１５０および１５２、および／または、泥土８５および８５’のより大きな粒子と比較して沈殿物のより大きな表面積により沈降沈殿物７８および７８’の中に存在する可能性がある。
【００２９】
被汚染物質の浚渫などの被汚染沈殿物の除去という一般に使用されている方法の短所は、時には被汚染物質の重量で１０％未満の小さな割合のみが実際に除去され得ることとすることができる。被汚染物質を除去するための浚渫という一般に使用されている方法は、典型的に、水および懸濁沈殿物１５０および１５２、沈殿物７８および７８’、ならびに、泥土８５および８５’が、開放口を介してバケットの外に漏出することにより水本体８３中に逃げ戻れるように開放口バケットを使用している。水および懸濁沈殿物１５０および１５２、沈泥などの沈殿物７８および７８’、ならびに／または、泥土８５および８５’の中の沈殿物などの元々軽く、且つふんわりしていることがある小さな直径を有する沈殿物は、例えば開放口バケットにおける、例えば浚渫操作などの被汚染沈殿物の除去という一般に使用されている方法の実施中に収容することが大変になる可能性がある。本発明の目的は、浚渫の少なくとも１つの短所を、容器１１０などの容器の提供による克服とすることができ、容器１１０は、被汚染物質が容器１１０（および、図２Ａおよび図２Ｂに描かれ、且つ本明細書において説明されている容器２１０）に収容され得る時に、「被汚染物質が、実質的に量的に除去され、または、実質的に量的に、例えば非有害または無害の化学的誘導体に変換され得る」ように、水本体８３中に存在する可能性のある被汚染物質を実質的に完全に収容するために使用され得る。
【００３０】
本発明の第２の目的は容器を提供することによる浚渫の少なくとも１つの短所の克服とすることができる。この容器は、被汚染物質が容器１１０に収容され得る時に、被汚染物質が、実質的に量的に除去され、または、実質的に量的に、例えば非有害または無害の化学的誘導体に変換され得るように、水本体８３中に存在する可能性のある被汚染物質の重量で１０％を超えて収容するために使用され得る容器１１０（および、図２Ａおよび図２Ｂに描かれ、且つ本明細書において説明されている容器２１０）などである。以下、「非有害または無害の化学的誘導体」は、二酸化炭素、水、および／または、塩化水素を含む。以下、化学的汚染の「実質的に量的な除去または実質的に量的な変換」とは、実質的に完全に収容された被汚染物質の重量で実質的に１００％の除去または変換を意味する。以下、「被汚染物質」は、人間、野生生物、または、植生に有毒または有害となる可能性のある化学物質で汚染された水および懸濁沈殿物１５０および１５２、沈降沈殿物７８および７８’、泥土８５および８５’、ならびに、基礎岩盤８７の各一部を含むことができる。代案として、「被汚染物質」は、水本体８３を汚す可能性のある下水、汚泥、または、産業廃棄物などの他の形態の廃棄物により汚染された水および懸濁沈殿物１５０および１５２、沈降沈殿物７８および７８’、泥土８５および８５’、ならびに、基礎岩盤８７の各一部を含むことができる。
【００３１】
水本体８３の水底８０の被汚染物質は、化学物質または他の形態の廃棄物の１兆分率以上のレベルを検出および／または定量し、且つサンプルが出た経度および緯度の座標により位置８９および９１から化学汚染物質などの汚染物質の濃度をマッピングするいずれかの適切な試験法を使用して、位置８９および９１からのサンプルを試験することにより、位置８９および９１におけるものなどの水本体８３の水底８０において経度および緯度の座標に関して位置特定され得る。以下、マッピングとは、サンプルが採取された（例えば、位置８９および９１の）経度および緯度の座標により、化学汚染物質などの汚染物質の濃度に関連する可能性のある経度および緯度の座標に関した地球の表面上の位置を示す地図を作成することを意味する。位置８９および９１の経度および緯度の座標は、例えば全球測位システム（ＧＰＳ）４０などのいずれかの適切なマッピングシステムを使用して決定され得る。もし位置、例えば８９および９１における化学汚染物質などの汚染物質の濃度が十分に高く、化学汚染物質などの十分に高い濃度のためにその位置が人間、野生生物、または、植生に有害または有毒であることを指定し得ることを試験が示せば、装置１００は、図３Ａに描かれたように、化学汚染物質を除去するための方法６００において、以下に説明されるように、化学汚染などの汚染を除去するために使用され得る。１兆分率レベルの重金属、ＰＣＢ、または、ダイオキシンなどの特定の化学汚染物質でさえ、その化学汚染が人間、野生生物、または、植生に有害または有毒とし得ることを保証するために十分高いと見出されている。
【００３２】
方法６００の工程６２０において、装置１００は、図１に描かれたように、水本体８３の水底８０の位置８９および９１の１つまたは双方にわたるなどの人間、野生生物、または、植生に特定のレベルの危害を有すると指定された位置にわたり位置決めされ得、結果として、容器１１０内に、汚染された水および懸濁沈殿物１５２、および／または、汚染沈降沈殿物７８、および／または、汚染泥土８５、および／または、汚染基礎岩盤８７におけるものなどの領域８９および／または９１におけるとし得る被汚染物質を実質的に完全に収容することをもたらす。
【００３３】
容器１１０は、以下に説明され、且つ図３Ａに描かれた如く、方法６００の工程６２０により機械式または他の手段により所定の位置に「沈下」され得る。方法６００の工程６５０に説明されている如く、容器１１０の内部９３の外の空気／水／物質を除去することにより、容器１１０の重量は容器１１０の辺縁部８２を水本体８３の水底８０内により深くねじ込むことができ、結果として、容器１１０がいかに深くねじ込まれるかによって、辺縁部８２、および、沈殿物７８、泥土８５、または、基礎岩盤８７のいずれかを押圧する容器１１０の外の水底８０の沈殿物７８’および泥土８５’から形成され得る容器１１０の辺縁部８２における解放可能密封９５を作成する。これにより、解放可能密封９５は内部９３を容器１１０の外に存在し得る水１５０および／または水本体８３の水底８０から隔離することができる。
【００３４】
方法６００の位置決め工程６２０において、容器１１０は、辺縁部８２が水本体８３の水底８０に直接かつ物理的に接触している限り、水本体８３の表面１７０の下方に部分的に水没または完全に水没され得る。
【００３５】
方法６００の収容および懸濁の工程６３０において、掘削錐、スプレー頭部、鞭、杭柱、流体ガス分配装置などのパドル１２５ａおよび１２５ｂは容器１１０の内部９３の攪拌をもたらし得て、容器１１０の内部９３に収容され得る水底８０の水底物質、例えば７８または８５の一部または実質的に全部の懸濁をもたらし、懸濁された部分は被汚染物質を含むことができる。被汚染物質は容器１１０の内部９３において水底８０の全物質の重量で０〜１００％の範囲とすることができる。
【００３６】
工程６３０において、例えば位置８９および９１における被汚染物質を懸濁するために必要な攪拌の割合は、除去の対象とされた水底物質の重量％に基づき経験的に決定され得て、より速い攪拌は、被汚染物質を有する水底８０のより大きな部分を懸濁するために必要となることがある。水および懸濁物質１５２の中の被汚染懸濁物質は、汚染されている可能性のある懸濁物質を識別するため、且つそれらの物質を懸濁物質および水１５２中の水などの流体から分離するために、「閉鎖環部」導管システム４５を介して、インライン化学試験設備を有するフィルタシステムなどの処理システム１４０に搬送され得る。一実施形態において、汚染されている可能性のある識別された懸濁物質は、容器１１０の内部９３から出口ライン１４５ａ’、１４５ｂ’、および、１４５ｃ’を介して、処理システム供給ライン６０を介して、弁５１を介して、被汚染懸濁物質が除去され得る処理システム１４０に搬送され得る。分離された流体は、容器１１０内に、弁５３、処理システム出口ライン６２および１４９、弁５２、処理システム出口ライン５１、戻りライン１４７ａ’、１４７ｂ’、および、１４７ｃ’を介して、および、最終的に再び容器１１０の内部９３に再循環され戻され得る。容器１１０からの例えば被汚染土壌および沈泥などの被汚染物質の除去の割合および容器１１０への処理済み流体および例えば土壌および沈泥などの処理済み被汚染物質の返送の速度は、例えば容器１１０の開放リム９０において、および、容器１１０がいかに深くねじ込まれたかにより沈殿物７８、泥土８５、または、基礎岩盤８７のいずれかの上に辺縁部８２を解放可能に密封することができる容器１１０の外の水底８０、例えば水底８０の沈殿物７８’および泥土８５’から形成され得る解放可能密封部９５において、容器１１０の内部９３と外部との間で実質的に正味零圧力差が測定され得るように制御できる。したがって、工程６５０〜６６０において、実質的に何らの被汚染懸濁物質も、以下に説明され、且つ図３Ａに描かれた如くの方法６００の工程６１０〜６７０において説明された「閉鎖環部」導管システム４５の操作中に装置１００により提供される実質的に完全な収容から逃げ得ない。「添加物」または「還元剤」（知られていても、いなくても、触媒、微生物、安定化剤、接着剤、荷電粒子、ガス、元素）は、供給ライン１４３から弁５０を介して「閉鎖環部」導管システム４５内に供給され得る。
【００３７】
処理システム１４０の効率は、戻りライン１４７ａ’、１４７ｂ’、および、１４７ｃ’における流体の濁り度を、出口ライン１４５ａ’、１４５ｂ’、および、１４５ｃ’における流体および懸濁された土壌および沈泥の濁り度と比較することにより決定され得る。濾過による被汚染物質の除去の百分率効率は、処理システム１４０が０．２から１００ミクロンの紙製または布製のフィルタを含み得れば、実質的に１００．０％とし得ることが見出されており、百分率効率は処理システム１４０への流体の濁り度と、処理システム１４０から出る流体の濁り度の比を百分率に変換することにより決定され得る。５０％と９５％の間の効率は、Ｊａｎｄｙ、ＰＯ  Ｂｏｘ６０００、Ｐｅｔａｌｕｍａ、ＣＡ９４９５５−６０００から入手可能な粒子径が約０．４０ｍｍから約０．５０ｍｍの砂を備えた＃２０シリカを有する水泳用プールを濾過するためなどの砂フィルタを使用して達成され得る。推奨される砂は、Ｗｅｄｒｏｎ／Ｂｅｓｔ  Ｓａｎｄ  Ｃｏｍｐａｎｙから入手可能な０．４６ｍｍの平均直径を有する０．４５ｍｍから約０．５５ｍｍの砂等級、または、Ｕ．Ｓ．Ｓｉｌｉｃａ／Ｓｉｌｕｒｉａｎ  Ｆｉｌｔｅｒ  Ｓａｎｄから入手可能な０．４８ｍｍの平均直径を有する０．４５ｍｍから約０．５５ｍｍの砂等級とすることができる。フィルタに詰める砂の重量は、５０ｐｓｉの砂フィルタ内の内圧を超えずに毎時容器１１０内の懸濁沈殿物および水の体積の２．０から２．５倍を濾過するために適切な砂の重量を選択することに基づき最小限の実験を以って当業者により決定され得る。処理システム１４０は精密濾過システム、または、レーザ、レーザ発光ダイオードを含む発光ダイオード、紫外線、もしくは、熱エネルギーなどの光により活性化され得る化学反応処理とすることができる。監視レベルが一旦満たされれば、図４および図５ならびに以下に描かれる如くの処理済み被汚染物質または成長用パケット７８０および９００などのリサイクルされた物質は、閉鎖環部導管システム４５を介して容器１１０内に返送され得て、物質が外で沈降することを可能にし、結果として土壌または沈泥での抽出現場の再充填をもたらし、化学汚染は土壌または沈泥が監視レベルを満たすように十分に除去され、且つ水本体８３の河川の水底８０の腐食は最小に抑えられ得る。なぜなら、容器１１０が河川の水底の他の被汚染位置に移動するために撤収され得る時には、濾過済みまたは処理済みの土壌または沈泥などの返送されたリサイクル済み材料が残されたいずれの穴も再充填するからである。
【００３８】
容器１１０は、継続的な監視および周囲への最小限の露出で「所定の位置での」除去を可能にする。この処理１４０は解放された再懸濁なしの抽出のために存在する。
一実施形態において、本発明は、被汚染物質を収容する問題を、水本体８３の水底８０から沈泥、汚泥、石材、鉱石、金属、または、元素などを含む被汚染物質をサンプル採取、目視、監視、分離、試験、処理、注入、交換、または、除去するための再密封可能／密封可能な容器１１０を提供することにより解決する。
【００３９】
全般に、本発明は、例えば水本体８３の化学的に汚染された水底８０などの大流体量の水底から沈泥、汚泥、石材、鉱石、金属、または、元素などを含む物質をサンプル採取、目視、監視、分離、試験、処理、注入、交換、または、除去するための装置１００とすることができる。装置１００は開放面付容器１１０、全球測位装置４０、および、閉鎖環部導管システム４５を含むことができる。
【００４０】
開放面付容器１１０は水本体８３の水底８０との解放可能密封９５を形成でき、且つ例えば沈泥、汚泥、石材、鉱石、金属、または、元素などの被汚染物質の一部を水底から懸濁するための少なくとも１つの攪拌装置１２５ａ、１２５ｂ、１３５ａ、１３５ｂ、１３５ｃ、１３５ｄ、および、１２７を含むことができる。発電施設１２０は、例えば機械式または電気の動力などの動力を供給することができる。少なくとも１つの攪拌装置１２５ａ、１２５ｂ、１３５ａ、１３５ｂ、１３５ｃ、１３５ｄ、および、１２７は、水底の各部を監視、分離、試験、処理、注入、交換、または、除去するために水底の各部と水の混合物が容器１１０から介して回収され得る少なくとも１つの排出ポート１４５ａ、１４５ｂ、および、１４５ｃも含むことができる。攪拌装置は、空気または水の噴流１３０などのいずれかの適切な装置からの可変圧での水または空気の流れを差向けるための可変速かき混ぜ羽根１２５ａおよび１２５ｂ、鞭１２７、または、ノズル１３５ａ、１３５ｂ、１３５ｃ、１３５ｄとすることができる。サンプル採取される面積は、材料のコスト、および、汚染された面積をサンプル採取するための容器１１０の移動回数を最小に抑えることからの便益などの現実的な検討事項のみにより制限された、例えば化学汚染などの汚染の面積に等価となるいかなる面積とすることもできる。一実施形態において、（図２Ａおよび図２Ｂに描かれ、且つ本明細書に説明されているように）容器１１０または２１０は、汚染の面積をサンプル採取するために約９３０ｃｍ２〜９万３千ｍ２（約１〜百万平方フィート）とすることができる。容器１１０、かき混ぜ羽根１２５ａおよび１２５ｂ、鞭１２７、または、ノズル１３５ａ、１３５ｂ、１３５ｃ、１３５ｄは、例えば、炭素鋼、アルミニウム、ステンレス鋼、ゴム、プラスチック、または、複合材料などの金属または金属合金とすることができる。
【００４１】
全球測位装置（ＧＰＤ）４０または他の適切な電子化測位装置は、水本体８３の水底８０上の例えば知られている化学的に汚染された現場の＋／−０．３ｃｍ（０．１２インチ）以内に容器の位置を決定するためとすることができる。
【００４２】
処理システム１４０は物質を容器１１０内に、および、から外に循環させるための双方向性ポンプを含むことができる。容器１１０内部の例えば水および懸濁沈殿物１５２、沈泥７８、または、泥土８５などの被汚染物質が容器１１０から除去され、且つ導管システム４５内に引き込まれ得る時に、もし閉鎖環部導管システム４５が真空下にすることができれば、真空または陰圧を容器１１０内にもたらすことは可能にでき、解放可能な密封９５は、例えば未汚染沈泥７８’、未汚染泥土８５’、または、未汚染水１５０などの物質の容器１１０内への漏出などによる真空の解放を防止することができる。代案として、容器１１０内部の例えば水および懸濁沈殿物１５２、沈泥７８、または、泥土８５などの被汚染物質が容器１１０から除去され、且つ導管システム４５内に引き込まれ得る時に、もし閉鎖環部導管システム４５に空気またはいずれか他の圧縮可能な流体を充満させることができれば、陽圧を容器１１０内にもたらすことは可能にでき、解放可能な密封９５は、例えば水および懸濁沈殿物１５２、沈泥７８、または、泥土８５などの物質の容器１１０外への漏出による圧力の蓄積の解放を防止することができる。化学汚染がより強いことがある沈泥など、例えば沈殿物７８などの被汚染物質の一部は、処理システム１４０、例えば精密フィルタなどにより水から除去され得て、水および物質の残り部分、例えば泥土８５などは容器１１０に返送され得る。処理システム１４０、例えば精密フィルタなどは、「閉鎖環部」装置１００が不活性となり得る時に、各周期中の圧力の高周波連射を使用して、または、超音波連射により、例えば沈泥または他の微小物質などの化学的に汚染された物質を除去するために浄化され得る。監視は、ポリ塩化ビフェニール（ＰＣＢ）、ダイオキシン、および、トリクロロエチレン（ＴＣＥ）などの他の有毒化学溶媒などの知られているか、または、知られていない化学物質または元素に対する試験の実施を含むことができる。処理は、例えば添加物、還元剤、触媒、微生物、安定化剤、接着剤、荷電粒子、ガス、または、元素を使用した化学処理による有毒化学物質または元素の除去を例えば含むことができる。一旦処理され、浄化され、分離されれば、沈泥のない部分などの物質は閉鎖環部導管システム４５を介して水本体８３の水底８０に返送され得る。
【００４３】
要約すれば、請求された発明は、継続的な監視および周囲への最小限の露出で「所定の位置での」除去を可能にすることができる。請求された処理は、水底８０の各部分から有毒化学物質を抽出することができるか、または、沈泥を除去できるか、または、水本体８３の水底上の例えば知られている化学的に汚染された現場の＋／−０．３ｃｍ（０．１２インチ）以内の正確な位置決めを使用して９３０ｃｍ２（１平方フィート）ほどに小さな面積において水底の残りの各部分を返送することができる。
【００４４】
図２Ａおよび図２Ｂは、本発明の実施形態による少なくとも１つの「開放または閉鎖環部」導管システム１８８を含む、開放または閉鎖環部抽出弁当箱（Ｏｐｅｎ  ｏｒ  Ｃｌｏｓｅｄ  Ｌｏｏｐ  Ｅｘｔｒａｃｔｉｏｎ  Ｌｕｎｃｈ  Ｂｏｘ（ＯＣＬＥＬＢ））などの装置２００を示す。装置２００は、例示として、容器２１０、少なくとも１つの導管２４５ａ、２４５ｂ、２４５ｃ、２４７ａ、２４７ｂ、２４７ｃ、および、２４８、少なくとも１つの攪拌装置２３５ａ、２３５ｂ、２３５ｃ、２３５ｄ、２２５ａ、２２５ｂ、および、２２７、少なくとも１つの観察装置２０５ａ、２０５ａ’、および、２０５ｂ、２０５ｂ’、少なくとも１つのサンプル採取現場３１０ａ、３１０ｂ、３１０ｃ、および、３１０ｄ、少なくとも１つの処理システム３２０、ならびに／または、濾過システム３３０、ならびに／または、バイパスシステム３４０、ならびに／または、汚染物質保持現場３５０、ならびに／または、清浄保持現場３６０、ならびに／または、追加装置現場３７０、ならびに／または、ポンプ、ならびに／または、発電施設３９０、ならびに／または、少なくとも１つの遮断弁４０５〜４８２を含むことができる。
【００４５】
容器２１０は、容器２１０の内部に被収容領域２７４を形成するように、水本体２５０の水底１８０に対面し、且つこれと直接に物理的に接触するように構成された開口部２１０’を含むことができる。水本体２２０は水および懸濁沈殿物２５０、ならびに、水本体２２０の水底１８０を含むことができ、水本体２２０の水底１８０は沈殿物２７０および基礎岩盤２８０を含む。容器２１０はプラスチック、ゴム、または、金属などの堅固な材料で作成され得る。代案として、容器２１０は柔軟なゴムなどの柔軟な材料で作成され得る。容器２１０は多角形、立方体、円筒形、球形、ピラミッド型、菱形、または、円錐形などのいずれかの適切な固い幾何学形状を有することができる。容器２１０は鋼、プラスチック、または、空気および流体を遮断および収容できるいずれかの材料で作成し得る。一実施形態において、柔軟なスカート１８５は、容器２１０のリム１８３の柔軟な延在をもたらすためにリム１８３を延在することができ、柔軟なスカート１８５は、水本体２５０の水底１８０上の岩石または他の固い瓦礫の周囲を包むことができ、たとえリム１８３が岩石または瓦礫を貫通できることが可能とされないためにリム１８３が水底１８０との物理的接触を妨げられ得るとしても、容器２１０の外部から容器２１０の被収容領域２７４を遮断するように容器２１０の柔軟なスカート１８５が水底１８０と直接に物理的に接触することを可能にする。一実施形態において、容器２１０は１つまたは複数のフック２１４ａおよび２１４ｂを含むことができる。例示として、フック２１４ｂはクレーンなどの持上装置１８２とのケーブル１８６を介した結合のために使用され得て、持上装置１８２はボートまたは艀などの浮動性容器１８１に固定され得る。
【００４６】
容器２１０は水の内外における自身の移動（起重および沈下）を促進する、または、自身が水本体２５０の水底１８０上の岩石または瓦礫を迂回することを可能にするためのいずれの形状も有することができる。
【００４７】
一実施形態において、少なくとも１つの導管２４８はアタッチメント２４８’’を含むことができ、アタッチメント２４８’’は少なくとも１つの導管２４８の開口部２４８’において導管２４８に動作可能に結合され得る。アタッチメント２４８’’は水本体２２０の水底１８０内への少なくとも１つの導管２４８の挿入を促進するためのドリル頭部または掘削錐とすることができる。少なくとも１つの導管２４８のアタッチメント２４８’’は、アタッチメント２４８’’がドリル頭部または掘削錐としてよい時に、コアサンプルの採取を行うために使用され得て、コアサンプルは、図２Ａに描かれたように水本体２２０の水底１８０からの土壌または沈殿物のサンプルである。一実施形態において、例えばドリル頭部または掘削錐などのアタッチメント２４８’’の支援を得て、少なくとも１つの導管２４８は、水底物質（すなわち、コアサンプル）のカラムが少なくとも１つの導管２４８の内部に挿入され得るように水本体２２０の水底内に挿入され得る。ドリル頭部または掘削錐などのアタッチメント２４８’’は、図６Ａおよび図９に描かれ、且つ本明細書において説明されているように、装置１０００の植付そり１０４０などの容易な位置決めのためのドリル頭部そりまたは掘削錐そり上に搭載され得て、ドリル頭部または掘削錐などのアタッチメント２４８’’は、以下の図１０に描かれたように、杭打機ピストン３２２０に対して代用され得る。したがって、コアサンプルは少なくとも１つの導管２４８を介して容器２１０の内部２７４から外に試験実施のために搬送され得る。
【００４８】
代案としてアタッチメント２４８’’はフィルタとすることができる。以下の図１２は、アタッチメント２４８’’がフィルタとすることができる時のアタッチメント２４８’’の横方向断面を描いている。
【００４９】
図２Ａおよび図２Ｂを参照すると、少なくとも１つの攪拌装置２３５ａ、２３５ｂ、２３５ｃ、および、２３５ｄの各々はノズルの形態とすることができ、容器２１０の内部の物質を攪拌するために、このノズルを介して流体（通常は水）が高圧下で容器２１０の内部２７４にポンプ送達され得る。少なくとも１つの攪拌装置２２５ａおよび２２５ｂの各々は多数のブレードを有するかき混ぜ羽根とすることができる。少なくとも１つの攪拌装置２２５ａおよび２２５ｂは発電施設３９０により動力を供給され得る。
【００５０】
少なくとも１つの攪拌装置２２７は多数の枝部を有する鞭の形態を有することができる。各枝部は中空の芯を有することができ、容器２１０の内部の物質を攪拌するために、この芯を介して水（または他の流体）が高圧下で容器２１０の内部２７４にポンプ送達され得る。鞭２２７は自転または回転することができる一方、水がこの鞭２２７を介して容器２１０の内部２７４にポンプ送達され得る。少なくとも１つの装置２２５ａおよび２２５ｂと同様に、少なくとも１つの攪拌装置２２７も発電施設３９０により動力を供給され得る。
【００５１】
一実施形態において、少なくとも１つの観察装置２０５ａおよび２０５ａ’は、ソナー頭部２０５ａおよびソナー表示部２０５ａ’を含むことができる。ソナー頭部２０５ａは沈殿物層２７０の厚さについての情報を収集するために使用され得る。ソナー表示部２０５ａ’はソナー頭部２０５ａにより収集された情報を表示するために使用され得る。
【００５２】
一実施形態において、少なくとも１つの観察装置２０５ｂおよび２０５ｂ’は、カメラ２０５ｂおよび表示部２０５ａ’を含むことができる。カメラ２０５ｂは容器２１０の内部の画像データを収集するために使用され得る。表示部２０５ａ’はカメラ２０５ｂにより収集された画像データを表示するために使用され得る。カメラ２０５ｂは、容器２１０の内部２７４の全体を目視するために十分に強力な光を発することができる（図示されていない）電球を含むことができる。一実施形態において、少なくとも１つの観察装置２０５ｂ、２０５ｂ’は、容器２１０が、川床などの水本体２２０の不均一な水底１８０上に、または、川床の岩石もしくは瓦礫上に沈下され得るか否かを決定するためのカメラとして使用され得る。もし沈下され得るなら、容器２１０の位置は、容器２１０の内部２７４を容器２１０の外部から隔離するために、容器２１０の辺縁部が川床に触れるように調整され得る。
【００５３】
図３Ａは処理のために水本体の水底（底）から物質を搬送するための方法６００のフローチャートを示し、この方法は、（ａ）開口部を含む容器を設ける工程と、（ｂ）開口部が水本体の水底と対面し、且つ水本体の水底と直接に物理的に接触するように容器を位置決めする工程と、（ｃ）物質を容器の内部に収容且つ懸濁する工程と、（ｄ）容器に結合された第１の導管を設ける工程と、（ｅ）懸濁された物質を第１の導管を介して容器の内部から容器の外部に搬送する工程と、を含む。方法６００は本発明の実施形態による図２Ａおよび図２Ｂの装置２００を操作するために使用され得る。図２Ａ、図２Ｂ、および、図３Ａを参照すると、方法６００は開口部２１０’を有する容器２１０が設けられ得る工程６１０において開始する。続いて、工程６２０において、容器２１０は川（または、他のいずれかの水本体）の水底などの水本体２２０の水底１８０に位置決めされ得る。一実施形態において、容器２１０は位置決めされ得て、開口部２１０’は、例えば化学的に汚染された物質などの被汚染物質の位置１９０と対面することができる。位置１９０は、装置２００のオペレータが図２Ａに描かれた如くの被汚染物質の位置１９０を覆って装置２００を位置決めできるように、上述の化学マッピング技術を使用して自身の経度および緯度の座標に関した地図上に位置決めされ得る。一実施形態において、装置２００のオペレータは、開口部２１０’が水底１８０に対面され得るように、水本体２２０の水底１８０の第１の未処理点の位置１９０にフック２１４ａおよび２１４ｂを使用してクレーン１８２により装置２００を沈下することができる。一実施形態において、第１の未処理点の位置１９０はＧＰＳ装置２５５を使用して見出され得る。一実施形態において、ポンプ３８０は、少なくとも１つの導管２４５ａ、２４５ｂ、および、２４５ｃを介して容器２１０の内部２７４から空気、水、沈殿物および／または泥土などの水底物質を含む物質を引き出すことができ、結果として、リム１８３が水本体２２０の水底１８０に物理的かつ直接に接触できるように、川床などの水本体２２０の水底１８０内にリム１８３を引き込み、結果として、川床などの水本体２２０の水底１８０と解放可能密封２５７を形成する。いくつかの実施形態において、何らの空気／水も容器２１０の内部には残留できない。ポンプ３８０は、容器２１０の内部の圧力をさらに低下させるように、容器２１０から空気／水を引き出し続けることができる。その結果、容器２１０は基礎岩盤２８０の上方で沈殿物層２７０などの水本体２２０の水底１８０内に解放可能に密封され得る。一般に、ポンプ３８０は、装置２００全体を通じて懸濁物質２５２’を移動させるために使用され得て、結果として、水本体２２０の水底１８０からの被汚染物質の除去または化学的変換をもたらす。その結果、物質は容器２１０の内部２７４から容器２１０の外に流れ出ることができる。同様に、方法６００または７００を完了した後に容器２１０の内部２７４に物質をポンプ送達することは、解放可能密封２５７を解放し得て、容器２１０を川床などの水本体２２０の水底１８０から解放することを可能にする。ポンプ３８０も容器２１０の内部の圧力を低下させるために容器２１０の外に物質（ほとんどが水）をポンプ送達するために使用され得る。その結果、物質は少なくとも１つの導管１４７ａ、ｂ、ｃから容器２１０の内部２７４に流れる。同様に、容器２１０の外に物質をポンプ送達することは、容器２１０と川床などの水本体２２０の水底１８０の間の解放可能密封２５７の強度を高めることができる。
【００５４】
一実施形態において、容器２１０は開口部２１０’を除いて全方向で気密となるように設計され得る。その結果、容器２１０が川の底の沈殿物層２７０などの水本体２２０の水底１８０に挿入されると、容器２１０の内部（すなわち、内部２７４）の物質は容器２１０の外部から実質的に完全に隔離され得る。
【００５５】
次に、工程６３０において、容器２１０の内部の物質は、容器２１０の内部に実質的に完全に収容され、且つ懸濁され得る。方法６００の収容および懸濁の工程６３０において、掘削錐、スプレー頭部、鞭、杭柱、流体ガス分配装置などのパドル２２５ａおよび２２５ｂは容器２１０の内部２５２の攪拌をもたらすことができ、結果として、容器２１０の内部２５２内に収容され得る水本体２２０の水底物質、例えば２７０または２８０の一部または実質的に全部を懸濁させ、懸濁された部分は被汚染物質を含むことができる。一実施形態において、少なくとも１つの攪拌装置２３５ａ、２３５ｂ、２３５ｃ、２３５ｄ、２２５ａ、２２５ｂ、および、２２７は被汚染物質を容器２１０の内部２５２において混合物２５２’に懸濁するために操作され得る。その結果、例えば沈殿物層２７０内の被汚染物質などの水本体２２０の水底１８０内の被汚染物質は、沈殿物層２７０から被汚染物質を除去すること、および、被汚染物質を容器２１０の内部２５２で水に散在させることにより混合物２５２’を形成することができる。攪拌が続く限り、例えば混合物２５２’中の被汚染沈殿物などの被汚染物質は水底には沈降しない。言い換えれば、混合物２５２中の被汚染沈殿物質は混合物２５２’中に懸濁されていると言える。工程６３０において、被汚染沈殿物質を含み得る混合物２５２’は容器２１０の内部２５２の混合物２５２’において実質的に完全に収容され、且つ懸濁され得る。
【００５６】
工程６４０において、少なくとも１つの導管２４５が設けられ、この導管２４５は容器２１０に結合され得る。一実施形態において、少なくとも１つの導管２４５は少なくとも１つの枝導管２４５ａ、２４５ｂ、および、２４５ｃとして枝分かれすることができる。続いて、工程６５０において、容器２１０の内部に懸濁された物質は処理のために導管２４５を介して容器２１０の外に搬送され得る。より詳細には、除去され、且つ懸濁された被汚染沈殿物質を含む混合物２５２’は処理のために導管２４５を介して容器２１０の外に搬送され得る。
【００５７】
少なくとも１つの遮断弁４０５〜４８２の各々は、開放または閉鎖のいずれも行われ得る。開放されている場合、少なくとも１つの遮断弁４０５〜４８２は流体が通過できるようにし得る。閉鎖されている場合、弁は流体が通過することを妨げる。装置２００内の弁４０５〜４８２は装置２００の異なった各部を隔離するために使用され得る。弁４０５〜４８２のいくつかを開放し、且つ残りの弁を閉鎖することにより、物質は処理のために所望の経路に沿って装置２００内を搬送され得る。一実施形態において、容器２１０内の圧力を不変に維持するために、物質（例えば、空気または水）は、清浄保持現場３６０から容器２１０の内部２７４に、少なくとも１つの弁４４６、４６４、および、４７０ならびに少なくとも１つの導管２４７ａ、２４７ｂ、および、２４７ｃを介して流れることが可能とされ得る。清浄保持現場３６０は濾過システム３３０を介して容器２１０の内部２７４から搬送された濾過液を保持するために使用され得る。清浄保持現場３６０内の物質は、容器２１０の内部２７４内に搬送され戻されるか、または、他の場所に搬出されるかのいずれかとなる前にさらなる処理を受け得る。追加装置現場３７０は容器２１０の内部２７４に追加されるべき物質を保持するために使用され得る。一実施形態において、少なくとも１つの弁４４６、４６４、および、４７０の各々は、自身の両端間の圧力差が所定の値を超えると開放されるように構成され得る。その結果、除去された沈殿物質を含む混合物２５２’が導管２４５を介して容器２１０の外にポンプ送達され得ると、少なくとも１つの弁４４６、４６４、および、４７０は、物質（例えば、空気、および／または、水、および／または、有毒または有害な汚染物質を二酸化炭素、水、または、ＨＣｌに変換するための処理用化学物質）が、清浄保持現場３６０から容器２１０の内部２７４に流れること可能にするために自動的に開放し得る。したがって、容器２１０の内部の圧力は不変に留まることができる。
【００５８】
したがって、工程６６０において、容器２１０の外に搬送された物質は、容器２１０の外部で処理され得る。一実施形態において、除去された被汚染沈殿物を含む混合物２５２’は、容器２１０の内部から処理システム３２０に少なくとも１つの導管２４５ａ、２４５ｂ、および、２４５ｃ（すなわち、導管２４５から分かれた枝部）および少なくとも１つの弁４３２および４１０を介して搬送され得る。処理システム３２０において、混合物２５２’は、混合物２５２’から汚染物質を処理（除去、変成など）し、それにより、汚染物質の毒性が弱まるか、無毒性となるように、熱、化学的、放射線、または、他の処理を受け得る。処理の後、混合物２５２’は、少なくとも１つの弁４１２、４２２、４３６、４６４、および、４７０ならびに少なくとも１つの導管２４７ａ、２４７ｂ、および、２４７ｃを介して容器２１０の内部２７４に搬送し戻されるか、または、少なくとも１つの弁４１２、４２２、４３６、および、４４６を介して清浄保持現場３６０に搬送され得るかのいずれかとなる。清浄保持現場３６０内の物質は、少なくとも１つの弁４４６、４６４、および、４７０ならびに少なくとも１つの導管２４７ａ、２４７ｂ、および、２４７ｃを介して容器２１０の内部２７４に搬送し戻され得る。
【００５９】
一実施形態において、混合物２５２’は少なくとも１つの弁４４０を介して濾過システム３３０に搬送され得て、それにより、混合物２５２’中の汚染物質は濾過され得る。濾過された汚染物質は濾過システム３３０から周期的に除去され得る。濾過後の残存混合物は、少なくとも１つの弁４４２、４５４、４６２、および、４７０ならびに少なくとも１つの導管２４７ａ、２４７ｂ、および、２４７ｃを介して容器２１０の内部２７４に搬送し戻され得るか、または、少なくとも１つの弁４４２、４４４、および、４４６を介して清浄保持現場３６０に搬送され得るかのいずれかとなる。清浄保持現場３６０内の物質は、少なくとも１つの弁４４６、４６４、および、４７０ならびに少なくとも１つの導管２４７ａ、２４７ｂ、および、２４７ｃを介して容器２１０の内部２７４に搬送し戻され得る。
【００６０】
一実施形態において、除去された沈殿物質を含む混合物２５２’は、少なくとも１つの導管２４５ａ、２４５ｂ、および、２４５ｃ、弁４５０、バイパスシステム３４０、ならびに、少なくとも１つの弁４５２、４５４、４４４、４３６、および、４２４を介して容器２１０の内部から汚染物質保持現場３５０に搬送され得る。汚染物質保持現場３５０において、混合物は上述の処理システム３２０におけるものと同様の処理を受け得る。汚染物質保持現場３５０において処理された後、混合物は、少なくとも１つの弁４２４、４３６、４６４、および、４７０ならびに少なくとも１つの導管２４７ａ、２４７ｂ、および、２４７ｃを介して容器２１０の内部２７４に搬送し戻され得るか、または、少なくとも１つの弁４２４、４３６、および、４４６を介して清浄保持現場３６０に搬送し戻され得るかのいずれかとなる。清浄保持現場３６０内の物質は、少なくとも１つの弁４４６、４６４、および、４７０、ならびに、少なくとも１つの導管２４７ａ、２４７ｂ、および、２４７ｃを介して容器２１０の内部２７４に返送され得る。
【００６１】
汚染物質の濃度は、処理の前後に、容器２１０からの混合物２５２’の少なくとも１つの経路上の少なくとも１つのサンプル現場３１０ａ、３１０ｂ、３１０ｃ、および、３１０ｄの位置を見出すことにより、少なくとも１つの経路に沿って監視され得る。
【００６２】
より詳細には、サンプル現場３１０ａは、容器２１０の内部からの混合物２５２’が異なった目的場所に流れる前に通過するノードＡ１に弁４３１を介して直接に結合され得る。ここで、「直接に結合された」とは、間に何らの処理も存在し得ないことを意味する。その結果、処理前の混合物２５２’のサンプルが、処理前の混合物２５２’中の汚染物質の濃度が測定され得るように、サンプル現場３１０ａから弁４３１を介して採取され得る。一実施形態において、方法６００の工程６７０において、汚染物質の測定された濃度が所定のレベルを下回り得る時は、処理が停止され得て、ならびに、（ｉ）容器２１０が現在位置から起重され得、且つ水本体２２０の水底上の他の位置に沈下され、且つ挿入され得るか、または、（ｉｉ）沈殿物層２７０の頂部からのより多くの沈殿物質がさらなる処理のために上述のように攪拌により除去され得るか、のいずれかとなる。一実施形態において、所定のレベルの汚染物質は水本体２５０の所有者（図２Ａ）、または、沈殿物２７０の浄化に対して責任を負う当局（図２Ａ）により指定され得る。
【００６３】
同様に、サンプル現場３１０ｂは、濾過システム３３０からの混合物２５２’が異なった目的場所に流れる前に外出するノードＡ２に弁４３４を介して直接に結合され得る。その結果、濾過後の混合物２５２’のサンプルは、濾過後の混合物中の汚染物質の濃度が測定され得て、それにより、濾過処理の品質が監視され得るサンプル現場３１０ｂへ弁４３４を介して採取され得る。
【００６４】
同様に、サンプル現場３１０ｃは、処理後の混合物２５２’が少なくとも１つの導管２４７ａ、２４７ｂ、および、２４７ｃを介して容器２１０の内部２７４に返送される前に流れ過ぎるノードＡ３に弁４６０を介して直接に結合され得る。その結果、サンプル現場３１０ｃは、処理後に容器２１０の内部２７４に流し戻される混合物２５２’中の汚染物質の濃度を監視するために使用され得る。
【００６５】
同様に、サンプル現場３１０ｄは、処理システム３２０からの混合物２５２’が異なった目的場所に流れる前に外出するノードＡ４に弁４１４を介して直接に結合され得る。その結果、処理後の混合物２５２’のサンプルは、弁４１４を介してサンプル現場３１０ｄに取られ得て、処理後の混合物中の汚染物質の濃度が測定され得て、それにより、処理システム３２０で行われる処理の品質が監視され得る。
【００６６】
工程６７０において、容器２１０の外に搬送された物質が十分に清浄であり得る（すなわち、結果として得られた混合物２５２’中の汚染物質の濃度が所定のレベルにまで低下された）か否かに関しての決定が行われ得る。この答えが否定的なものであり得れば、方法６００は工程６５０に環状に従って戻る。言い換えれば、汚染物質を除去するために、懸濁物質は容器２１０の外に搬送され続けており（工程６５０）、且つ処理され続けている（工程６６０）。工程６７０における質問に対する答えが肯定的なものであれば、方法６００は停止し得る。続いて、容器２１０は現在位置から除去され得て、且つ水本体８３の水底８０上の他の位置に位置決めされ得て、方法６００が再び行われ得る。一実施形態において、容器２１０の沈殿物層２７０が満足なレベルにまで処理された後（すなわち、結果として得られた混合物２５２’中の汚染物質の濃度は所定のレベルにまで低下された後）、汚染物質の地図は、現在の位置が処理されたことを示すように更新され得る。続いて、現在位置が処理されるべき最後の位置となり得るか否かに関して決定が行われ得る。もしこの答えが否定的なものであれば、容器２１０は起重され、且つフック２１４ａおよび２１４ｂに結合されたクレーン１８２などの持上装置を使用して次の未処理の位置に沈下され得る。もしこの質問に対する答えが肯定的なものであれば、操作は終了され得る。
【００６７】
図３Ｂは水本体の水底における被汚染物質を処理するための方法７００のフローチャートを示し、方法７００は（ａ）開口部を含む容器を設ける工程と、（ｂ）開口部が水本体の水底上の被汚染物質の層と対面され得て、且つ被汚染物質の頂部層と直接に物理的に接触し得るように容器を定置する工程と、（ｃ）容器の内部の被汚染物質を容器内に収容且つ懸濁する工程と、（ｄ）被汚染物質の頂部層の所定の厚さが容器の内部で懸濁され得るまで被汚染物質を懸濁する工程と、を含む。方法７００は、本発明の実施形態による図２Ａおよび図２Ｂの装置２００を操作するために使用され得る。方法７００の工程７１０は方法６００の工程６１０と同様とすることができる。言い換えれば、工程７１０において、開口部２１０’を有する容器２１０が設けられ得る。工程７２０において、容器２１０は川床などの水本体８３の水底８０における第１の未処理の位置に定置され得る。
【００６８】
工程７３０において、容器２１０の内部の物質は容器２１０の内部に収容され、且つ懸濁され得る。一実施形態において、少なくとも１つの攪拌装置２３５ａ、２３５ｂ、２３５ｃ、２３５ｄ、２２５ａ、２２５ｂ、および、２２７は容器２１０の内部にあり得る水２５２をかき混ぜる（すなわち、攪拌する）ために操作され得る。沈殿物層２７０がいかに深く特定の汚染物質で汚染され得るかを示す化学汚染地図が使用され得る。工程７４０において、工程７３０で懸濁された物質は汚染物質を排除するために処理され得る。工程７５０において、沈殿物層２７０の所定の厚さが容器２１０の内部の混合物２５２’内で懸濁され得るか否かに関して決定が行われ得る。もし答えが否定的なものであれば、方法７００は工程７３０に環状に従って戻る。言い換えれば、工程７３０および７４０は、沈殿物層２７０の所定の厚さが容器２１０の内部の混合物２５２’内で懸濁され得るまで、行われ得る。もし工程７５０における質問の答えが肯定的なものであれば、方法７００は停止する。この後、容器２１０は起重され得て、且つ水本体２２０の水底１８０の他の未処理の位置１９０に定置され得て、方法７００は他の未処理の位置において再び行われ得る。一実施形態において、少なくとも１つの観察装置２０５ａ、２０５ａ’、および、２０５ｂ、２０５ｂ’は、攪拌が所望の深さに到達したか否かを決定するために、沈殿物層２７０の厚さを監視するために使用され得る。例えば、汚染物質地図に従って、容器２１０が沈殿物層２７０内に挿入され得る位置において、沈殿物層２７０の厚さは６３．５ｃｍ（２５インチ）とし得ると仮定する。さらに、沈殿物層２７０の頂部の２５．４ｃｍ（１０インチ）のみが汚染物質地図による汚染物質を含むと仮定する。その結果、少なくとも１つの攪拌装置２３５ａ、２３５ｂ、２３５ｃ、２３５ｄ、２２５ａ、２２５ｂ、および、２２７は、少なくとも１つの観察装置２０５ａ、２０５ａ’、および、２０５ｂ、２０５ｂ’が沈殿物層２７０の厚さが３８．１ｃｍ（１５インチ）に低減されたことを決定するまで、動作することを可能とされることができる。
【００６９】
一実施形態において、方法７００の工程７４０は方法６００の工程６６０と同様とすることができる。言い換えれば、懸濁沈殿物質を含む混合物２５２’は、処理のために少なくとも１つの導管２４５ａ、２４５ｂ、および、２４５ｃを介して容器２１０の外に搬送され得る。代案として、工程７４０において、混合物２５２’は処理（処理）のために容器２１０の外に搬送される代わりに、容器２１０の内部で処理され得る。一実施形態において、化学物質を処理する工程は追加装置現場３７０（図２Ｂ）を使用して追加され得る。上述のように、攪拌および処理の工程（すなわち、それぞれ工程７３０および７４０）は、攪拌が所望の深さにまで到達した時に停止され得る。
【００７０】
図４は本発明の実施形態による環境を改善するための成長用パケット７８０を示す。成長用パケット７８０は外壁７９０を含むことができ、この外壁７９０は、植物（例えば、挿し木、根、塊茎、種子など）、栄養物質、および、自然の力から新しい成長を保護する温室成長効果において植物の成長を加速するために必要な（図示されない）土壌生物を含むことができる。以下、塊茎は、その塊茎の微小な大きさの葉の葉腋に芽または目を有する植物の茎であってよく、芽または目は新しい植物に成長することができる。いくつかの実施形態において、成長用パケット７８０の外壁７９０が、例えば、肥料、ミネラル、固い支持体などの十分な栄養物質、および／または、例えば、極く若い植物が成長するために必要とされる栄養物質および固い支持体などの前記内蔵成長物質を床が欠き得るために不毛となり得る、例えば不毛な川床などの他の無菌かつ不毛な苗床に植えられ得たとしてもその植物が成長するためのその植物の根の周囲の土壌などの「内蔵成長物質」を含むことができる時に、成長用パケット７８０は「内蔵成長用パケット」とすることができる。一実施形態において、成長用パケット７８０の直径は約２．５４ｃｍ（１インチ）から３０．５ｃｍ（１２インチ）とすることができる。
【００７１】
一実施形態において、成長用パケット７８０は高エネルギー成長用ポッド（鞘状体、繭状体）として事前梱包され得て、且つ例えば川床内での容易な植え付けを促進するための丸い形状などのいかなる形状も有することができる。
【００７２】
成長用パケット７８０は、土壌の腐食の制御のために川床における岸線のような岸線の上方でも下方でも土壌中に成長用パケット９００および３１１０をポンプ送達するために使用される以下の図６Ａ、図９、および、図１０に描かれた装置１００もしくは２００または植付システム１０００もしくは３０００などのシステムによりポンプ送達され得る。植物が光源に向かって成長し、且つ植物が根を下にしてまたは茎を下にして土壌にポンプ送達され得るかに関係なく光源に向かって成長するために適切に向けられるように、光に対して陽の屈性を有する成長用パケット７８０内の植物が選択され得る。
【００７３】
一実施形態において、成長用パケット７８０は、図２Ａに描かれ、且つ上述されたように、自身の重量が自身を水本体２２０の水底１８０における土壌内に沈めるように設計され得る。代案実施形態において、成長用パケット７８０は自身の重量が自身が浮くことを可能にするように設計され得る。一実施形態において、成長用パケット７８０は水耕農法におけるように浮くための浮袋が装備され得る。
【００７４】
一実施形態において、成長用パケット７８０は、褐色土地点、スラグ塊、流込み池、環礁、火災現場、港などの損害を受けた生態系を再開するために必要な土壌および水の中の生物で充填され得る。
【００７５】
図５は本発明の実施形態による環境を改善するための成長用パケット９００を示す。成長用パケット９００は、植物（例えば、挿し木、根、塊茎、種子など）、例えば栄養物質などの内蔵成長物質、および、外壁９１０内での内蔵植物の成長を持続させ、且つ加速させるために必要な（図示されない）土壌生物を含み得る。成長用パケット９００は、熱および二酸化炭素が保持され得る一方、熱を発生し、且つ植物内での光合成を促進するために光の吸収を可能にするように温室環境を提供するなど、自然の力から新しい成長を保護することができる。内蔵植物の成長は成長用パケット９００からの植物の成長とすることができ、この成長は成長用パケット９００の内部にあり得る栄養物質などの内蔵物質により養われ、持続され、かつ／または、加速され得る。その結果、成長用パケット９００は、植物の成長を支持するためには土壌中の栄養物質が不十分となり得る環境において使用され得る。
【００７６】
一実施形態において、外壁９１０は、空気および水分などの流体が、成長用パケット９００の内部と外部との間で交換され得るが、植物、栄養物質などの内蔵物質、および、土壌生物が外壁９１０の内部に閉じ込められ得るように、黄麻布などの多孔性材料で作成され得る。黄麻布材で作成されたものなどの多孔性の外壁９１０は、この材料を貫通するための植物の成長を可能にし得る。一実施形態において、補強索９２０が成長用パケット９００の補強に役立てるために使用され得る。一実施形態において、成長用パケット９００の大きさは、直径が約２．５４ｃｍ（１インチ）から３０．５ｃｍ（１２インチ）とすることができる。一実施形態において、成長用パケット９００内部の内容は地域の法律を遵守し、環境に優しく、且つ周囲の植生と調和しているものとすることができる。一実施形態において、成長用パケット９００の内部に収容されている内蔵物質は、図２Ａに描かれ、且つ上記に説明されたように水本体２２０の水底１８０からの植物の成長を回復させ、持続させ、かつ／または、加速させるために使用され得る蜜源植物のビタミン、栄養物質、ｐＨを約ｐＨ＝４から約ｐＨ＝１０に緩衝するｐＨ緩衝材、二酸化炭素（ＣＯ２）などのガス、リン酸の塩、若い植物、および、これらの組合せを含むことができる。成長用パケット９００からの植物の成長は酸素が消耗された水に酸素を補充するために使用され得る。酸素の消耗は、リン酸による水本体の汚染からの結果であるとし得る。リン酸は下水処理場排水、および、耕地からの肥料の流入を含めた都市部および農業の活動を介して放出され得て、ならびに、水本体中に一旦入れば、リン酸は藻類の大幅な成長を可能にする。藻類の死滅は細胞が老化すると開始し、この時、藻類は初夏におけるように非常に高密度となり、そのため、光の透過量が減じられ得る。死んだ細胞は水底に沈降し、且つバクテリアにより分解され得て、このことが水中の魚類および他の生命形態にとって必要である過程においてかなりの量の酸素を使用する。
【００７７】
一実施形態において、成長用パケット９００は成長用パケット９００内部に散乱された質量９３０ａおよび９３０ｂを含むことができる。代案として、質量９３０ａおよび９３０ｂは外部に存在し得るが、成長用パケット９００に結び付けられ得る。ここでは２つの質量９３０ａおよび９３０ｂのみが例示的に示され得るが、全般に、いずれの数の質量９３０ａおよび９３０ｂのような質量も使用され得る。質量９３０ａおよび９３０ｂは、図２Ａに描かれ、且つ上記に説明されたように成長用パケット９００を水本体２２０の水底１８０に沈下させ、且つ留まらせるために十分大きな重量を有するいずれの物体ともすることができる。水本体２２０の水底の水底１８０に一旦定置されれば、成長用パケット９００からの植物の成長は直立に成長することができる。一実施形態において、質量９３０ａおよび９３０ｂは、苗や種子が成長用パケット９００内で成長し続けることができ、環境保護をもたらすように、例えば水本体２２０中で分解し得る金属などの分解可能金属で作成され得る。
【００７８】
一実施形態において、成長用パケット９００は成長用パケット９００内部に散乱された浮き物体９４０ａおよび９４０ｂを含むことができる。代案として、浮き物体９４０ａおよび９４０ｂは外部に存在し得るが、成長用パケット９００に結び付けられ得る。ここでは２つの浮き物体９４０ａおよび９４０ｂのみが例示的に示され得るが、全般に、いずれの数の浮き物体９４０ａおよび９４０ｂのような浮き物体も使用され得る。浮き物体９４０ａおよび９４０ｂは、成長用パケット９００を浮かせるために軽い重量および大きな体積を有する。一実施形態において、浮き物体９４０ａおよび９４０ｂは、上述のように、環境保護をもたらす、例えば水本体２２０中で分解し得る金属などの分解可能材料、または、例えば、黄麻布または澱粉などの織物材料などの生分解性繊維材料で作成され得る。一実施形態において、浮き物体９４０ａおよび９４０ｂは浮袋とすることができる。一実施形態において、多数の成長用パケット９００が水面に浮遊生息地を形成するために一体に結び付けられ得る。
【００７９】
図６Ａは、図７に描かれ、且つ以下に説明される方法２０００による、図２Ａに描かれ、且つ上記に説明された如くの水本体２２０の水底１８０における沈殿物層内に図５の成長用パケット９００を植え付けるために使用され得る植付システム１０００を示す。例示として、植付システム１０００は、ボートなどの支持器具１００５、成長用パケット９００、送達そり１０４０、成長用パケットポンプ１０１０、成長用パケット容器１０１５、成長用パケットゲート１０２０、および、搬送導管１０２５を含むことができる。成長用パケット９００用植付そり１０４０は、延長可能肘状部（エルボー）Ｂ３を介して傾斜バー１０５０に動作可能に結合された位置合わせ導管１０３０を含み、傾斜バー１０５０は、位置合わせ導管１０３０の位置合わせに、そり１０４０の縦軸に沿って、そり１０４０の縦軸に直交する軸に沿って、かつ／または、矢印１０４５の方向に、案内通路１０３４を設けることができる。
【００８０】
図６Ｂは図６Ａの植付そり１０４０の底面図を示す。図６Ａの植付システム１０００の動作は図７および図９を参照して以下に説明され得る。
【００８１】
図７は本発明の実施形態による図６Ａの装置の動作のための方法２０００のフローチャートを示す。図６Ａ、図６Ｂ、および図７を参照すると、方法２０００の工程２１００において、植付そり１０４０は前側プラウ１０４２および後側プラウ１０４４に動作可能に結合され得る。方法２０００の工程２２００において、植付システム１０００の全体は、ボートが前進した時に植付そり１０４０が図２Ａに描かれ、且つ上記に説明されたように、水本体２２０の水底１８０の表面形状に沿って移動し、植付溝１０３３を作成するように、ボート１００５に結合され得る。工程２２５０において、成長用パケット９００は、位置合わせセンサ３２１０および杭打機ピストン３２２０を使用して、図６Ａに描かれ、且つ上記に説明されたように、沈殿物１０７０などの土壌中に挿入され得る。代案として、成長用パケット９００は、水本体の辺縁部における土壌または水本体に隣接した海岸線上の土壌の中に挿入され得る。以下の図９は、植付そり１０４０の前面立面図の分解図において位置合わせセンサ３２１０および杭打機ピストン３２２０を描いている。工程２３００において、植付そり１０４０が沈殿物層１０７０の表面形状に沿って移動する一方、後側プラウ１０４４は沈殿物質を溝１０３３内に移動させる。工程２２５０において、Ｂ１において器具１００５に、および、Ｂ２において垂直バー１０５５に動作可能に結合され得る傾斜バー１０５０はそり１０４０のｘ、ｙ、および、ｘの各軸において位置合わせをもたらし得て、ｘおよびｙはそり１０４０の同じ平面において縦および横の軸とすることができ、且つｚはｘｙ平面に直交する軸である。方法２０００の工程２３００において、後側プラウは、溝１０３３を埋め、且つ成長用パケット９００を覆い、それにより、成長用パケット９００を成長のために配置するために沈殿物１０７０などの土壌を移動するために使用され得る。
【００８２】
一実施形態において、ボート１００５は矢印１０３２の方向に前進し得る一方、ゲート１０２０は周期的に開かれ得る。その結果、ポンプ１０１０により作られた圧力下で、ゲート１０２０が開くいかなる時でも、１つまたは複数の成長用パケット９００は搬送導管１０２５内に押し込まれ得て、位置合わせ導管１０３０を介して、図２Ａに描かれ、且つ上記に説明されたように、水本体２２０の水底１８０における土壌（すなわち、沈殿物層１０７０）中に開口部１０３４を介して押し込まれ得る。一実施形態において、搬送導管１０２５は柔軟とすることができ、そのため、容器１０１５および位置合わせ導管１０３０の相対位置が変化できる一方、位置合わせ導管１０３０にきつく結合され得る植付そり１０４０は、川床などの水本体２２０の水底１８０の表面形状に沿って移動する。
【００８３】
一実施形態において、植付そり１０４０が沈殿物表面１０６５上を滑動する一方、プラウ（すき状部材）１０４２および１０４４は沈殿物層１０７０中を引きずられ得る。前側プラウ１０４２は沈殿物質を介して突進し、且つ自身の経路に沿って溝１０３３を形成する。後側プラウ１０４４は前側プラウ１０４２の後ろを移動し、且つ前側プラウ１０４２により除かれた沈殿物質を溝１０３３内に移動し戻す。その結果、成長用パケット９００が開口部１０３４を介して位置合わせ導管１０３０を外出する時はいつでも、成長用パケット９００は前側プラウ１０４２により掘られた溝１０３３内に植え付けられ得る。続いて、後側プラウ１０４４は溝１０３３に沈殿物質を充填し、成長用パケット９００を処理中の溝１０３３内に埋める。
【００８４】
一実施形態において、前側プラウ１０４２は沈殿物層１０７０中に後側プラウよりも深く延長する。その結果、成長用パケット９００が、前側プラウ１０４２により形成された溝１０３３の底に落下され得ると、成長用パケット９００は後側プラウ１０４４の掃引の下方に存在し得て、後側プラウ１０４４が成長用パケット９００を溝１０３３内に埋めることをより容易にする。
【００８５】
植付そり１０４０に斜面を登らせたいと所望され得るなら、垂直バー１０５５は、ボート１００５に動作可能に結合され得る傾斜バー１０５０が軸Ｂ１の周囲を回転することを可能にするように水圧ポンプ１０６０により引き上げられ得る。その結果、植付そり１０４０は登り坂を滑動することができる。ボート１００５に動作可能に結合され得る滑動導管１０６０内を滑動する垂直バー１０５５は、沈殿物１０７０などの水本体の水底の土壌の表面形状に沿って移動しながら植付そり１０４０を移動させるための力を供給する。
【００８６】
同様に、植付そり１０４０を坂を下って移動させたいと所望し得るなら、傾斜バー１０５０は、傾斜バー１０５０が軸Ｂ１上で回転することを可能にするように水圧ポンプ１０６０および垂直バー１０５５により下げられ得る。代案として、垂直バー１０５５は傾斜バー１０５０に下向きの力をかけるためのばね搭載機構により押し下げられ得る。その結果、植付そり１０４０は下り坂を滑動することができる。
【００８７】
一実施形態において、ＧＰＳ（全球測位システム）１０７５は、構造体９００が、図２Ａに描かれ、且つ上記に説明されたように川床などの水本体２２０の水底１８０における所望の位置に植え付けされ得ることを確実にするために、植付システム１０００と共に使用され得る。言い換えれば、ＧＰＳ１０７５の使用は、植付システム１０００のオペレータが成長用パケット９００を植え付けられた川床の位置の軌跡を維持するうえで役立つ。その結果、川床の所定の領域が植付システム１０００を使用して構造体９００を植え付けることにより回復され得る。
【００８８】
一実施形態において、ソナー装置１０８０は、図２Ａに描かれ、且つ上記に説明されたように、川床などの水本体２２０の水底１８０における障害物を植付システム１０００のオペレータが認識するうえで役立てるために植付システム１０００と共に使用され得る。その結果、オペレータは、植付そり１０４０への損害を回避するように、水本体２２０の水底１８０における障害物（例えば、岩石、瓦礫など）の周囲で植付そり１０４０を操縦することができる。
【００８９】
上記の実施形態において、傾斜バー１０５０は位置合わせ導管１０３０に直接に結合され得る。代案として、傾斜バー１０５０は植付そり１０４０に直接に結合され得る。
図８Ａ〜図８Ｃは、本発明の実施形態による図１の容器（または、船体）１１０の上面図を示し、容器１１０は、天板１１０ｅ、ならびに、それぞれ４枚のカーテン板８１０、８２０、８３０、および、８４０に接し、且つこれらに結合されている４枚の側板１１０ａ、１１０ｂ、１１０ｃ、および、１１０ｄを含む。一実施形態において、４枚のカーテン板８１０、８２０、８３０、および、８４０の各々は１対の水圧杭打機に結合され得て、この水圧杭打機は、今度は、容器１１０に結合され得る。より詳細には、カーテン板８１０は杭打機８１０ａおよび８１０ｂに結合され得る。カーテン板８２０は杭打機８２０ａおよび８２０ｂに結合され得る。カーテン板８３０は杭打機８３０ａおよび８３０ｂに結合され得る。カーテン板８４０は杭打機８４０ａおよび８４０ｂに結合され得る。
【００９０】
図８Ａ〜図８Ｃは本発明の実施形態による図８Ａ〜図８Ｃの容器１１０およびカーテン板８１０、８２０、８３０、および、８４０の斜視図を示す。カーテン板８１０は単一平面コネクタ８１０ｅおよびピストン８１０ｃを介して水圧杭打機８１０ａに結合され得る。ピストン８１０ｃは杭打機８１０ａの内部を内外に滑動することができる。単一平面コネクタ８１０ｅはピストン８１０ｃの一端にきつく結合され得る。その結果、単一平面コネクタ８１０ｅは上下にのみ移動することができる一方、ピストン８１０ｃは杭打機８１０ａの内部を上下に移動する。
【００９１】
同様に、カーテン板８１０は単一平面コネクタ８１０ｆおよびピストン８１０ｄを介して水圧杭打機８１０ｂに結合され得る。ピストン８１０ｄは杭打機８１０ｂの内部を内外に滑動することができる。単一平面コネクタ８１０ｆはピストン８１０ｄの一端にきつく結合され得る。その結果、単一平面コネクタ８１０ｆは上下にのみ移動することができる一方、ピストン８１０ｄは杭打機８１０ｂの内部を上下に移動する。
【００９２】
一実施形態において、単一平面コネクタ８１０ｅおよび８１０ｆの各々は、カーテン板８１０が容器１１０の側板１１０ａに平行な平面内で同コネクタの周囲を回転することのみを可能にする。その結果、ピストン８１０ｃおよび８１０ｄを調整することにより、カーテン板８１０は容器１１０の側板１１０ａに平行な平面の周囲で引き上げられ、下げられ、且つ回転され得る。一実施形態において、他の３枚のカーテン板８２０、８３０、および、８４０は同様の形で容器１１０に結合され得る。
【００９３】
一実施形態において、カーテン板８１０は容器１１０の自身が接している側板１１０ａよりも長さを長くすることができる。同様に、カーテン板８２０は容器１１０の自身が接している側板１１０ｂ（図８Ａ〜図８Ｃ）よりも長さを長くすることができる。しかし、カーテン板８３０および８４０は容器１１０のそれぞれ自身が接している側版１１０ｃおよび１１０ｄと同じ長さとすることができる。
【００９４】
図８Ａ〜図８Ｃはそれぞれ側板１１０ａ、１１０ｂ、１１０ｃ、および、１１０ｄを延長するための４枚のカーテン板８１０、８２０、８３０、および、８４０の使用を示す。一実施形態において、容器１１０は水本体中に沈下され得るが、容器１１０の天板１１０ｅは水面８６０の上方に維持され得る。４枚のカーテン板８１０、８２０、８３０、および、８４０はこれらのカーテン板が、容器１１０およびカーテン板８１０、８２０、８３０、および、８４０が水本体の水底と共に容器１１０の内部に密閉された空間を形成するように水本体の水底と接触するまで沈下され得る。言い換えれば、４枚のカーテン板８１０、８２０、８３０、および、８４０は、それぞれ容器１１０の測板１１０ａ、１１０ｂ、１１０ｃ、および、１１０ｄの延長体として機能する。
【００９５】
一実施形態において、容器１１０は、自身の天板１１０ｅが水没または未水没のいずれかとされ得て、且つ水本体の水面８６０に平行とされ得るように、且つ容器１１０の下の水本体の水底８５０の傾斜方向がカーテン板８３０からカーテン板８４０へとなり得るように、水本体中に位置決めされ得る。平面の傾斜方向は、引力の効果のもとでその平面上を自由に転がらせられた時のボールの移動の方向であると定義され得る。したがって、２枚のカーテン板８３０および８４０は、これらのカーテン板が水本体の水底８５０と完全に接触するまで、垂直に沈下され得る。２枚のカーテン板８１０および８２０の各々は、自身が水本体の水底８５０と完全に接触するまで、垂直に沈下され、且つ自身が接する側板１１０ａまたは１１０ｂに平行な平面内で時計方向に回転され得る。カーテン板８１０および８２０がそれぞれ側板１１０ａおよび１１０ｂよりも長さが長いことの結果として、カーテン板８１０および８２０は、図８Ａ〜図８Ｃに示されたように、容器１１０の側面に開口部を作成せずに水底と完全に接触するために回転することができる。
【００９６】
一実施形態において、杭打機８１０ａおよび８１０ｂの各々は容器１１０にきつく固定された点の周囲を側板１１０ａに平行な平面内で回転することができる。その結果、カーテン板８１０は、杭打機８１０ａおよび８１０ｂの双方を同時に回転することにより水平に移動され得る。このことは、カーテン板８１０の移動にさらなる柔軟性を追加する。
【００９７】
一実施形態において、同様に、杭打機８２０ａおよび８２０ｂの各々は容器１１０にきつく固定された点の周囲を側板１１０ｂに平行な平面内で回転することができる。その結果、カーテン板８２０は、杭打機８２０ａおよび８２０ｂの双方を同時に回転することにより水平に移動され得る。このことは、カーテン板８２０の移動にさらなる柔軟性を追加する。
【００９８】
上記に説明された実施形態において、カーテン板８３０に連結されたコネクタ８３０ａおよび８３０ｂ、ならびに、カーテン板８４０に連結されたコネクタ８４０ａおよび８４０ｂは単一平面タイプのものとすることができる。代案として、これらのコネクタ８３０ａ、８３０ｂ、８４０ａ、および、８４０ｂは省略され得る。その場合、カーテン板８３０はピストン８３０ａおよび８３０ｂにろう付けされ得て、カーテン板８４０はピストン８４０ａおよび８４０ｂにろう付けされ得る。
【００９９】
一実施形態において、カーテン板８１０、８２０、８３０、および、８４０、ならびに、連結された構成部分（コネクタ、杭打機、および、ピストン）はステンレス鋼で作成され得る。これらの大きさは、これらにかかる予測最大力に耐えるために十分なものとすることができる。
【０１００】
図９は、位置合わせセンサ３２１０および杭打機ピストン３２２０を示す上記の図６Ａに描かれ、且つ関連本文に説明された如くの植付そり１０４０の分解側面立面図を示し、位置合わせセンサ３２１０は杭打機ピストン３２２０に動作可能に結合され得る。位置合わせセンサ３２１０は杭打機ピストン３２２０を少なくとも１つの成長用パケット通路１０３４と位置合わせするために使用され得て、位置合わせセンサ３２１０は杭打機ピストン３２２０の先端に所在し得て、杭打機ピストン３２２０は手作業で、または、コンピュータにより制御され得る。杭打機ピストン３２２０は位置合わせ導管１０３０の内部を滑動することができ、位置合わせ導管１０３０は手作業で、オペレータにより、または、自動化された方法で、コンピュータにより、植付そり１０４０のｘｙｚ座標に沿ったどこにでも位置決めされ得る。位置合わせセンサ３２１０は杭打機ピストン３２２０を成長用パケット９００用通路１０３４に位置合わせするために使用され得る。位置合わせされた杭打機ピストン３２２０の目的は、通路１０３４を介して成長用パケット９００を物理的かつ直接にねじ込み、図６Ａに描かれ、且つ本明細書に説明されているように、沈殿物１０７０などの水本体１０３７の水底１０６５の土壌中に矢印１０３２の方向に前側プラウ１０４２の移動により作成され得た溝１０３３内に成長用パケット９００を挿入することとし得る。代案として、杭打機ピストン３２２０は、成長用パケット９００を河川などの水本体１０３７に沿った岸辺上の土壌中に、または、水本体１０３７および岸辺の辺縁部の土壌中に物理的かつ直接に挿入するために使用され得る。位置合わせセンサ３２１０および杭打機ピストン３２２０は、図７に描かれ、且つ上記に説明されたように、方法２０００の工程２２５０により少なくとも１つの成長用パケット案内通路１０３４と位置合わせされ得る。
【０１０１】
図１０は毛布状巻物植付システム（ＢＲ植付システム）３０００を描いており、このシステム３０００は、器具またはボート３０９５、毛布状巻物３０３０、制御装置３０１０、支持システム３０５０、および、杭打機ピストン３０２０を含む。制御装置３０１０はコンピュータとすることができ、このコンピュータは、土壌３１３０中の毛布状巻物３０３０および３１４０内の指定位置３０７０に杭３０８０を打ち込むために矢印３１６０の方向に杭打機ピストン３０２０の軌跡を位置合わせするために、図９に描かれ、且つ上記に説明されたように、位置合わせセンサ３２１０などの杭打機ピストン３０２０の位置合わせセンサ３０１５に動作可能に接続され得る。代案として、制御装置３０１０は手動制御装置とすることができ、図９に描かれ、且つ上記に説明された如くの位置合わせセンサ３２１０などの位置合わせセンサ３０１５は、杭打機ピストン３０２０の毛布状巻物３０３０との位置合わせの目視可能な画像をオペレータに提供することができる。毛布状巻物３０３０は、図５に描かれ、且つ上記に説明されたように、成長用パケット９００を収容するために使用される黄麻布または他の生分解性材料などの材料に包まれた少なくとも１つの成長用パケット３１１０を含むことができる。毛布状巻物３０３０は、約３０．５ｃｍから約３０５ｍ（約１から１，０００フィート）の長さおよび約１５．２ｃｍから３０５ｃｍ（約６インチから約１０フィート）の幅などのいかなる適切な寸法ともすることができる。成長用パケット３１１０は約２．５４ｃｍから３０．５ｃｍ（約１から約１２インチ）の直径などのいかなる適切な寸法ともすることができる。成長用パケット３１１０は植物（例えば、挿し木、根、塊茎、種子など）、栄養物質、および、自然の力から新しい成長を保護する温室成長効果において植物の成長を加速するための（図示されない）土壌生物を含むことができる。以下、塊茎は、その塊茎の微小な大きさの葉の葉腋に芽または目を有する植物の茎であってよく、芽または目は新しい植物に成長することができる。いくつかの実施形態において、成長用パケット３１１０は、肥料などの十分な栄養物質、ミネラル、例えば、極く若い植物の成長を持続し、且つ加速させるために必要とされる前記栄養物質および固い支持体を床が欠き得るために不毛となり得る例えば不毛な川床などの他の無菌かつ不毛な苗床に植えられ得たとしてもその植物が成長するためのその植物の根の周囲の土壌などの固い支持体などの内蔵物質を含むことができる外壁を備えた「内蔵成長用パケット」とすることができる。成長用パケット７８０および９００に対して説明された方法と同様の方法において、毛布状巻物３０３０は、成長用パケット３１１０が土壌に挿入され得た後に滋養物を受け取るための硝酸塩およびリン酸塩含有肥料などの滋養物を供給することができる。
【０１０２】
杭および成長用パケット送達システム３０５０は接続係留具３０９２を介して器具またはボート３０９５に位置３０９３において固定され得る。接続係留具３０９２はロープまたはプラスチックなどの柔軟な材料または金属結束具などの堅固な材料とすることができる。杭および成長用パケット送達システム３０５０は、杭供給装置３０９０、杭送達導管３１００を含むことができ、ここで杭３０９０は矢印３１６０の方向により示されている杭打機ピストン３０２０の軌跡内に矢印３１５０の方向に移動することができ、および、毛布状巻物案内システム３０６０を含むことができ、毛布状巻物案内システム３０６０は、毛布状巻物３０３０が矢印３１６０の方向に杭打機ピストン３０２０の軌跡を通過できるように毛布状巻物３０３０の敷設を誘導する。杭３０９０および３０８０は木材、プラスチック、プラスチックおよびゴムなどの複合材料、または、金属で作成され得て、且つ土壌中への進入を促進するために尖った両端を備えた長方形とすることができる。代案として、杭は、位置３０７０において毛布状巻物３０３０を貫通するため、および、位置３１４０において土壌に毛布状巻物を固定するためのいずれかの適切な固い幾何学形状とすることができる。巻物案内システム３０６０は、毛布状巻物が滑動する溝、または、毛布状巻物３０３０を誘導するためのいずれかの適切な機構を含み得る車輪とすることができる。
【０１０３】
杭打機ピストン３０２０は水圧またはばねで動力を供給され得て、且つ矢印３１６０の方向により指定された杭打機ピストン３０２０の軌跡が土壌３１３０中の毛布状巻物３０３０および３１４０内の指定位置３０７０に杭３０８０を打ち込むことができるように、杭打機ピストン３０２０を位置合わせするための位置合わせセンサ３０１５および位置合わせ導管３０４０を含むことができる。植え付けのための方法４０００の方法４１００において、図１１に描かれ、且つ以下に説明されるように、制御装置３０１０は、土壌３１３０中の毛布状巻物３０３０および３１４０内の指定位置３０７０に杭３０８０を打ち込むために、杭打機ピストン３０２０の軌跡を位置合わせするために、位置合わせセンサ３０１５からフィードバックを受信することができる。代案として、制御装置３０１０は手動制御装置とすることができ、位置合わせセンサ３２１０などの位置合わせセンサ３０１５は、図９に描かれ、且つ上記に説明されたように、土壌３１３０中の毛布状巻物３０３０および３１４０内の指定位置３０７０に杭３０８０を打ち込むためにオペレータが杭打機ピストン３０２０の軌跡を位置合わせできるように、杭打機ピストン３０２０の位置合わせの目視可能画像を供給することができる。支持ロッド３１７０は、位置合わせ導管３０４０および巻物案内システム３０６０に動作可能に結合され得て、たとえ毛布状巻物３０３０を供給する速度が、毛布状巻物３０３０の供給に対する抵抗が矢印３１６０の方向に直交する力を作り出し得るように上昇しても、矢印３１６０の方向に杭打機ピストン３０２０の一定した軌跡の維持をもたらす。
【０１０４】
図１１は、上記に説明された図１０に描かれ、且つ本明細書に説明されているように、毛布状巻物植付システム（ＢＲ植付システム）３０００を使用して植え付けるための方法４０００を示す。方法４０００の工程４１００において、杭および成長用パケット送達システム３０５０が設けられ得て、杭および成長用パケット送達システム３０５０は、杭供給装置３０９０、杭送達導管３１００、矢印３１６０の方向に軌跡を有する杭打機ピストン３０２０、毛布状巻物案内システム３０６０を含むことができ、毛布状巻物案内システム３０６０は、杭打機ピストン３０２０により毛布状巻物３０３０および水本体３１３０の水底内に杭３０８０が打ち込まれ得るように、矢印３１６０の方向に杭打機ピストン３０２０の軌跡を介して毛布状巻物３０３０が通過するように、土壌または沈殿物などの水本体３１２０の水底３１３０上に毛布状巻物３０３０の敷設を誘導する。方法４０００の工程４２００において、毛布状巻物３０３０は杭および成長用パケット送達システム３０５０に供給され得て、毛布状巻物３０３０は少なくとも１つの成長用パケット３１１０を含むことができる。工程４２００において、毛布状巻物３０３０は少なくとも１つの成長用パケット３１１０が事前に搭載されて植付現場に搬送され得るか、または、毛布状巻物３０３０は空の容器として植付現場に搬送され、且つ必要に応じて少なくとも１つの成長用パケット３１１０が搭載され得る。ＢＲ植付システム３０００の毛布状巻物３０３０は支持システム３０５０から解かれ得て、且つ深いまたは浅い水域における沈殿物などの水本体３１２０の水底３１３０において所定の位置に杭で打たれ得る。代案として、毛布状巻物３０３０は、川原、湖もしくは河川の岸、または、水本体３１２０の岸辺に杭で打ち込まれ得る。支持システム３０５０は、深いまたは浅い水域の沈殿物などの水本体３１２０の土壌水底３１３０中に毛布状巻物３０３０を敷設するために艀またはボート上に搭載され得る。代案として、支持システム３０５０は、川原、湖もしくは河川の岸辺の、または、水本体３１２０の辺縁部における土壌などの水本体３１２０の水底３１３０に毛布状巻物３０３０を敷設するためのトラック、無限軌道車、掘削機などに、または、ボートに搭載され得る。
【０１０５】
図１２は装置１００または２００の縦方向断面を描いており、アタッチメント２４８’’がひだ付のフィルタとすることができる図２Ａに描かれ、且つ上記に説明されたアタッチメント２４８’’の分解図を示す。ひだ付きのフィルタとすることができるアタッチメント２４８’’は筒部２６０、少なくとも１つのピーク２６３および少なくとも１つの谷２５９を有するひだ付表面２６５、ならびに、少なくとも１つの通路２６７を含むことができ、少なくとも１つの通路２６７は、少なくとも１つの谷２５９内のひだ付表面２６５からアタッチメント２４８’’の筒部２６０に延在することができる。ひだ付きのフィルタとすることができるアタッチメント２４８’’は、上記の図２Ａに描かれたように、開口部２４８’における少なくとも１つの導管２４８に動作可能に結合され得る。以下、「動作可能に結合され」とは、混合物２５２’中の被汚染水および懸濁被汚染沈殿物などの物質が、図２Ａおよび図２Ｂに描かれ、且つ上記に説明されたように、容器２１０の内部２５２からアタッチメント２４８’’の少なくとも１つの通路２６７を介して矢印１７７の方向に少なくとも１つの導管２４８に通過できるように、アタッチメント２４８’’の筒部２６０が少なくとも１つの導管２４８の開口部２４８’と隣接することができることを意味する。代案として、ひだ付きのフィルタとすることができるアタッチメント２４８’’は、図２Ａに描かれたように、装置２００の少なくとも１つの導管２４５ａ、２４５ｂ、もしくは、２４５ｃに、または、図１に描かれたように、装置１００の少なくとも１つの導管１４５ａ’、１４５ｂ’、もしくは、１４５ｃ’に動作可能に結合され得る。ひだ付きのフィルタなどのアタッチメント２４８’’は、プラスチック、ゴム、プラスチックおよびゴムなどの複合材料、金属で作成され得て、金属は銅、真鍮、ステンレス、または、炭素鋼とすることができる。ひだ付表面２６５の少なくとも１つのピーク２６３は尖ったまたは鈍い形状とすることができる。
【０１０６】
図１３は、ひだ付フィルタとすることができるアタッチメント２４８’’の横方向断面図を描いている。図１３において、ひだ付表面２６５の隣接したピーク２６３間の矢印２６９の方向における長さは約２．５４ｃｍから約７．６２ｃｍ（約１インチから約３インチ）とすることができる。一実施形態において、少なくとも１つの通路２６７は約０．００２ｍｍから約０．００６ｍｍの直径を有することができ、ひだ付表面の隣接した点２６１間の矢印１７７の方向の長さは約０．００２ｍｍから約０．００６ｍｍとすることができる。他の実施形態において、少なくとも１つの通路２６７は約０．００６ｍｍから約０．０２ｍｍの直径を有することができ、ひだ付表面の隣接した点２６１間の矢印１７７の方向の長さは約０．００６ｍｍから約０．０２ｍｍとすることができる。他の実施形態において、少なくとも１つの通路２６７は約０．０２ｍｍから約０．０６３ｍｍの直径を有することができ、ひだ付表面の隣接した点２６１間の矢印１７７の方向の長さは約０．０２ｍｍから約０．０６３ｍｍとすることができる。少なくとも１つの点２６３と２６１の間のひだ付表面２６５は滑らかな線形表面とすることができるか、または、代案として、ひだ付表面２６５は粗いか、もしくは、不均一なものとすることができる。隣接した点２６１は少なくとも１つの通路２６７の直径に沿った反対側の点と整列または一致していてよい。ひだ付フィルタとすることができるアタッチメント２４８’’の目的は、アタッチメント２４８’’のひだ付表面２６５の隣接したピーク２６３間の長さよりも大きな直径を有する固形物を除去または濾過することとできる。一実施形態において、ひだ付フィルタとすることができるアタッチメント２４８’’は混合物２５２’中の固形物質を除去または濾過することができ、それにより、容器２１０の内部２５２内の混合物２５２’中の被汚染沈殿物などの被汚染物質と共に運ばれ得る岩石または他の不溶性固形瓦礫などの固形物が、少なくとも１つの通路２６７および少なくとも１つの導管２４８に進入することを防止する。少なくとも１つの通路２６７は少なくとも１つの通路２６７よりも大きな直径を有する固形物で閉塞または目詰まりされ得ること、および、固形物が少なくとも１つの通路２６７に近付くに従って、矢印１７７の平面内の反対側の共通平面上の点間の長さが短くなるようにそのような固形物を選抜するために谷２５９を使用することが見出されている。
【０１０７】
図１４は装置２００の縦方向断面図を描いており、アタッチメント２４８’’が粗いフィルタとし得る時のアタッチメント２４８’’の分解図を示す。図１４に描かれた如くの粗いフィルタなどのアタッチメント２４８’’は濾材２５８を含み、濾材２５８はふるい２５９およびふるい２５９内の少なくとも１つの穴２５６を含むことができ、少なくとも１つの穴２５６は約０．３ｃｍから約２．５４ｃｍ（約１／８インチから約１インチ）の直径を有することができる。少なくとも１つの穴２５６は円形、正方形、長方形、または、いずれかの適切な多角形とすることができる。粗いフィルタとすることができる装置２４８’’の少なくとも１つの穴２５６は、約０．３ｃｍから約２．５４ｃｍ（約１／８インチから約１インチ）の直径を有する穴のアレイとすることができる。濾材２５８は、図１４に描かれたように、円錐形とすることができるか、または、代案として、濾材２５８は球形、立方体、ピラミッド型、または、多角形のいずれかの固形幾何学形状とすることができる。濾材２５８は金属薄板、プラスチックなどのいずれかの適切な固体材料とすることができ、金属薄板は銅、亜鉛、ステンレス鋼、もしくは、炭素鋼、または、水、沈殿物、もしくは、水本体２２０中の岩石もしくは礫などの固形物体に対して無孔性とし得るいずれかのシート材料とすることができる。
【０１０８】
図１４において、粗いフィルタとし得るアタッチメント２４８’’は、上記の図２Ａに描かれたように、開口部２４８’において少なくとも１つの導管２４８に動作可能に結合され得る。以下、「動作可能に結合され」とは、図２Ａおよび図２Ｂに描かれ、且つ上記に説明されたように、混合物２５２’中の被汚染水および懸濁被汚染沈殿物などの物質が、容器２１０の内部２５２から装置２４８’’の少なくとも１つの穴２５６を介して矢印１７７の方向に少なくとも１つの導管２４８内に通過し得るように、アタッチメント２４８’’の穴２５８が少なくとも１つの導管２４８の開口部２４８’と隣接し得ることを意味する。
【０１０９】
図２Ａおよび図２Ｂ、ならびに、図１２〜図１４を参照すると、混合物２５２’中の懸濁沈殿物などの上記の図２Ａおよび図２Ｂに描かれた如くの水本体２２０中の物質または固形物は、装置２００のアタッチメント２４８’’がひだ付フィルタまたは粗いフィルタであると、アタッチメント２４８’’の少なくとも１つの通路２６７または少なくとも１つの穴２５６において閉塞または目詰まりし得ることが見出されている。図１３を参照すると、アタッチメント２４８’’が粗いフィルタとし得る時に、「開放または閉鎖されている」導管システム１８８内の混合物２５２’がアタッチメント２４８’’の少なくとも１つの通路２６７を介して、図１３に描かれたように、矢印２５４の方向に強制的に移動させられ得るように、混合物２５２’を、例えばポンプ３８０でポンプ送達することにより、この閉塞または目詰まりがアタッチメント２４８’’の少なくとも１つの通路２６７から除去され得ることが見出されている。図１４を参照すると、アタッチメント２４８’’が粗いフィルタとし得る時に、「開放または閉鎖されている」導管システム１８８内の混合物２５２’がアタッチメント２４８’’の少なくとも１つの穴２５６を介して、図１４に描かれたように、矢印２５１の方向に強制的に移動させられ得るように、混合物２５２’を、例えばポンプ３８０でポンプ送達することにより、この閉塞または目詰まりがアタッチメント２４８’’の少なくとも１つの穴２５６から除去され得ることが見出されている。代案として、アタッチメント２４８’’がひだ付フィルタまたは粗いフィルタとし得る時に、アタッチメント２４８’’の少なくとも１つの通路２６７または少なくとも１つの穴２５６から閉塞または目詰まりを除去するための超音波振動の連射を供給するために、超音波発生器がアタッチメント２４８’’に動作可能に結合され得る。
【０１１０】
図１５は装置１００および２００をロボット工学的に操作するための方法８００のフローチャート全体を示し、弁、攪拌装置、目視設備、ＧＰＳなどの地図座標特定設備、および、ソナー設備は、装置１００および２００に対して導管システム４５および１８８において弁を開放または閉鎖の位置に遠隔で設置することなどにより、遠隔でコンピュータ制御され得る。用語「入力する、および、入力すること」は、入力された情報を画面上に表示するように構成された下記の図１６に描かれ、且つ本明細書に説明されている如くのコンピュータ４００に連結されたキーボードを介して打ち込むこと（または、指示装置を移動もしくはクリックすること）を意味するように定義される。方法８００は、被汚染物質が除去に対して指定された位置に対してオペレータが除去の地図座標および深さを入力する工程８１０と、コンピュータ４００を使用して装置１００および２００の弁、攪拌装置、目視設備、ＧＰＳなどの地図座標特定設備、および、ソナー設備を含めて、装置１００および２００を制御し、コンピュータ４００は制御される攪拌装置、目視設備、地図座標特定設備に対する動作パラメータを算出する工程８２０と、装置１００および２００が被汚染物質を除去する工程８３０と、を含む。
【０１１１】
全般に、図３Ａ、図３Ｂ、および、図１０に描かれ、且つ上記に説明された被汚染物質の除去に関して本明細書に説明されている方法８００は、汎用コンピュータ４００を使用して実施され得て、方法は汎用コンピュータ４００による使用のための取外し可能またはハードメディアに１組の指示として符号化され得る。図１６は本発明を実施するための汎用コンピュータ４００の概略ブロック図である。図１６において、コンピュータシステム４００は少なくとも１つのマイクロプロセッサまたは中央演算部（ＣＰＵ）４０５を有する。ＣＰＵ４０５は、システムバス４１０を介して、ランダムアクセスメモリ（ＲＡＭ）４１５と、読み出し専用メモリ（ＲＯＭ）４２０と、取外し可能データおよび／またはプログラム記憶装置４３０と大量データおよび／またはプログラム記憶装置４３５を接続するための入出力（Ｉ／Ｏ）アダプタ４２５と、キーボード４４５およびマウス４５０を接続するためのユーザインターフェイスアダプタ４４０と、データポート４６０を接続するためのポートアダプタ４５５と、ならびに、表示装置４７０を接続するための表示部アダプタ４６５と、に相互接続されている。
【０１１２】
ＲＯＭ４２０はコンピュータシステム４００に対する基本オペレーティングシステムを含んでいる。オペレーティングシステムは、代案として、ＲＡＭ４１５または当技術分野で知られている如くの他の場所に常駐することができる。取り外し可能データおよび／またはプログラム記憶装置４３０の例は、フロッピドライブおよびテープドライブなどの磁気媒体、ならびに、ＣＤ−ＲＯＭドライブなどの光学媒体を含む。大量データおよび／またはプログラム記憶装置４３５の例は、ハードディスクドライブ、および、フラッシュメモリなどの不揮発性メモリを含む。キーボード４４５およびマウス４５０に加えて、トラックボール、手書きタブレット、感圧パッド、マイクロフォン、光学ペン、および、位置検出画面表示部などの他のユーザ入力装置もユーザインターフェイス４４０に接続され得る。表示装置の例は陰極線管（ＣＲＴ）および液晶表示部（ＬＣＤ）を含む。
【０１１３】
本発明の実施を簡略化するために、適切なアプリケーションインターフェイスを備えたコンピュータプログラムが当業者により作成され得て、且つシステムに、または、データおよび／またはプログラム記憶装置に保存され得る。動作において、本発明を実行するために作成された情報またはコンピュータプログラムは、適切な取外し可能データおよび／またはプログラム記憶装置４３０に所在するか、データポート４６０を介して供給されるか、または、キーボード４４５を使用して打ち込まれる。第１の実施例において、システムバス４１０の出力は、図１、図２Ａ、および、図２Ｂ）の装置１００および２００、ならびに、それぞれ図３Ａおよび図３Ｂの方法６００および７００を制御することができ、ＰＣＢで汚染された沈殿物を収容および隔離に至らせる一方、これらの沈殿物は、沈殿物の懸濁の割合および濁り度が制御されて取り扱われ得る。第２の実施例において、システムバス４１０の出力は装置１００および２００を制御することができ、水本体内の収容現場からの被汚染物質をサンプル採取、目視、ソナー検出、監視、分離、試験実施、処理、注入、除去、または、交換することを可能にする。
【０１１４】
本発明は、ＰＣＢで汚染された沈殿物を収容および隔離するための構造、例えば図１、図２Ａ、および、図２Ｂ）の装置１００および２００、ならびに、それぞれ図３Ａおよび図３Ｂの方法６００および７００を提供することができる一方、これらの沈殿物は沈殿物の懸濁の割合および濁り度が制御されて取り扱われ得る。水本体内の収容現場からの被汚染物質をサンプル採取、目視、ソナー検出、監視、分離、試験実施、処理、注入、除去、または、交換することを可能にする装置１００および２００。開放された面を持つ容器１１０および２１０は水底物質を入れた密封可能／再密封可能な容器を形成し、続いて、容器内で沈泥および汚泥などの被汚染物質を懸濁するための「攪拌装置」、ならびに、物質および流体の混合物が、化学物質および／または処理に対する分離および監視するために容器から引き出され得る取出し口を使用する。ＰＣＢのほとんどは河川の水底の沈殿物層の頂部１５．２ｃｍ（６インチ）内に所在している。しかし、いくつかの激しい地点では、ＰＣＢが６３．５ｃｍ（２５インチ）ほどに深い深さに所在することがある。「攪拌装置」は可変圧での水または空気の流れを差向けるための可変速のかき混ぜ羽根、鞭、および、ノズルとなる。容器、攪拌装置、かき混ぜ羽根、鞭、および、ノズルは混合材料、例えば、炭素鋼、アルミニウム、ステンレス鋼、ゴム、プラスチック、または、複合材料のものとすることができる。
【０１１５】
全球測位装置（ＧＰＤ）は容器１１０および２１０の位置決めを決定するために使用され得る。同様に、開放または閉鎖環部導管システム１８８は、アタッチメント２４８’’から、ならびに、図１に描かれた如くの装置１００の導管システム４５および上記の図２Ａに描かれた如くの装置２００の導管システム１８８から、沈泥および汚泥物質などの被汚染物質を除去するための「前進後退」ポンプ３８０を含むことができる一方、解放可能密封１８３は、被汚染物質が容器１１０または２１０に進入することを防止する。図２Ｂに描かれたサンプル現場３１０ａの監視は、知られているか、または、知られていない化学物質および元素に対する試験の実施を含むことができる。処理は、添加物、還元剤、触媒、微生物、安定化剤、接着剤、荷電粒子、ガス、または、知られているかもしくは知られていない他の元素の使用を含むことができる。一旦処理されれば、「浄化され、分離された物質」は、図２Ａに描かれたように開放もしくは閉鎖された導管システム１８８、または、図１に描かれたように閉鎖環部導管システム４５を介して返送され得る。装置１００および２００は継続した監視および周囲への最小限の露出を以って「所定の場所へ」の被汚染物質の除去を可能にする。
【０１１６】
装置１００および２００は「開放口付」バケットを使用することができる従来の浚渫方法に対して以下の長所を有する。第１に、装置１００および２００は、例えば、川床内の収容現場から被汚染物質をサンプル採取、目視、ソナー検出、監視、分離、試験実施、処理、注入、除去、または、交換するなどの多用途の目的を有することができる。第２に、収納容器領域内の「開放または閉鎖された環状」導管システム１８８は、物質の懸濁の割合（濁り度）、および、同様に川床の物質の関与の程度を刺激および制御するために使用され得る。攪拌装置は可変速かき混ぜ羽根１２５ａおよび１２５ｂ、鞭１２７、または、ノズル１３５ａ、１３５ｂ、１３５ｃ、１３５ｄ、とすることができ、且つ上昇および下降するように構成され得る一方、沈殿物２７０、例えば沈泥および汚泥媒体などの被汚染物質内に制御による深さまで前進する。第３に、装置１００および２００は、密閉された流体を容器１１０および２１０の外に、且つ容器１１０および２１０内に再循環し、選択された処理または濾過処理を可能にする多数の「閉鎖環部の」または「開放環状」導管システム４５および１８８とすることができる。第４に、収容された沈殿物７８および２７０、例えば沈泥および汚泥媒体に対する試験実施および処理は、容器１１０および２１０から沈殿物７８および２７０を除去する代わりに容器１１０および２１０において所定の位置で行われ得る。第５に、過程を逆行させることにより、除去から残された窪みは、植物生命体および生物などの選択された量の浄化された、または、新しい充填用物質で充填され得る。
【０１１７】
装置１００および２００の使用に対する直接の便益は、大衆の健康を改善し、河川の生態、魚類および野生生物、食物連鎖を改善し、農業用応用例を改善し、輸送機関およびレクレーションを改善する静かな、日夜の、年間を通じた操作および最小限の影響での泥線の下方での作業に関して理解され得る。本発明の装置１００および２００を使用して達成されたいくつかの目的があり得る。（１）魚類を摂取する人々に対するガンのリスクの低減およびガンのない健康危害、（２）魚類および野生生物へのリスクの低減、（３）水質基準を超える河川の水中の沈殿物中のＰＣＢレベルの低下、（４）魚類および野生生物により消費される可能性のある沈殿物中のＰＣＢの量（質量）の低減、および、（５）河川を下るＰＣＢの長期にわたる移動の停止。
【０１１８】
本発明の装置、例えば、それぞれ図１、図２Ａ、および、図２Ｂ）の装置１００および２００、ならびに、図３Ａおよび図３Ｂの方法６００および７００の１つの成功は、処分場への搬送のために収集され、かつ／または、処理され得る物質（大きな岩石、石など）の量の最小化により測定され得る。本発明の装置、例えば、それぞれ図１、図２Ａ、および、図２Ｂ）の装置１００および２００、ならびに、図３Ａおよび図３Ｂの方法６００および７００の第２の成功は、被汚染物質の重量で実質的に１００％が除去され得るように、除去のための被汚染物質への命中を可能にすることとし得る。
【０１１９】
環境に関する便益は、もし被汚染物質が除去されなかったなら生じた可能性のある被汚染物質の下流への移動を防止するための河川沈殿物などの被汚染物質の制御された除去とすることができる。本発明はハドソン川などの水本体を再び安全な使用に戻す形で経済的な便益をもたらすことができる。
【０１２０】
本発明の装置、例えば、それぞれ図１、図２Ａ、および、図２Ｂ）の装置１００および２００、ならびに、図３Ａおよび図３Ｂの方法６００および７００のエネルギーの便益は、処理過程の長さの短縮によりＰＣＢの除去および処理のためのエネルギー消費量をかなりの量削減することを期待され得る。環境保護は、濁り度および下流に放出される再懸濁物質を制御することによる新規な収容浚渫プロセス（すなわち、容器２１０の内部）を介して提供され得る。経済的な便益は、ハドソン川などの水本体の使用を経済が間もなく取り戻すことを可能にする短縮された、より安全な、より効率的なプロセスから導かれ得る。米国ニューヨーク州全体および世界の開発途上国の全てを通じたいずれの水本体においても、被汚染物質を回復させるための市場開拓の潜在力は無限とすることができる。
【０１２１】
本発明は、効率的かつ経済的な方法で河川などの水本体中において植物生命体を再生させ、且つ植物生命体を定着させるための手段も提供することができる。
本発明の実施形態によれば、植物生命体は、その植物生命体が共に共生でき、且つ空いている場所に再移植できることを可能にするように選択され得る。各生息地が必要とする可能性のある栄養物質およびパケットに対して研究が行われる。以下、「ＧＲＥＥＮ  ＰＥＡＳ」として知られている「Ｇｒｅｅｎ  Ｐｌａｎｔ  Ｅｎｅｒｇｙ  Ａｉｄ  Ｓｙｓｔｅｍ」（すなわち、図５の成長用パケット９００）は、制御された期間にわたり自然の力から新しい成長を保護する温室成長効果における植物の成長を加速するために必要であり、加速された植物の成長を支援する、植物（挿し木、根、塊茎、種子など）、栄養物質、土壌、および、生物が充填された生分解性パケットとすることができる。「ＧＲＥＥＮ  ＰＥＡＳ」は、容易な敷設を促進するための丸い形状の事前に梱包された高エネルギー成長ポッドとすることができる。この形状は、「ＧＲＥＥＮ  ＰＥＡＳ」が、土壌の腐食制御のために河川の水底におけるように、岸線の上方であっても下方であっても、土壌内に特殊な導管システムを介してポンプ送達されることを可能にする。この形状は、ＰＥＡＳが頂部または底部を有さないことも可能にし、３６０度にわたって成長が生じることを可能にし、したがって、「頂部」を自身で見出す。「ＧＲＥＥＮ  ＰＥＡＳ」は水没するために重量も付けられ、または、水耕農法におけるように浮くために浮袋も付けられなければならない。「ＧＲＥＥＮ  ＰＥＡＳ」は、褐色土地点、スラグ塊、流込み池、環礁、火災現場、港などの損害を受けた生態系を再開させるために必要な土壌および水中の生物で充填される。
【０１２２】
このプロジェクトの便益は以下とすることができる。河川、大衆の健康の改善、魚類および野生生物に対するより健全な環境の提供などの水本体の生態の改善、食物連鎖からのＰＣＢおよび他の有毒化学物質を排除、公共水道の純度の改善、肥料の使用などの農業での散布の結果生じ得る水本体からの廃棄物の除去、および、水泳用などの水本体でのレクレーションのための条件の改善。経済的便益は、商業上および公共の応用例の双方に対して無境界とし得る。
【０１２３】
本発明は優秀であり得る。なぜなら、直接植付過程は川床に「ＧＲＥＥＮ  ＰＥＡＳ」を再植え付けするからである。制御された量の物質を交換することは、現在使用されている現行の過程よりも遥かに効率的かつ費用効果的となる。エネルギーおよび経済上の便益は、生息地がなくなった川底に再植え付けする効率的な方法に伴う節約に基づくとすることができる。川床に再植え込みし、且つ制御された量の清浄な物質（１２’’、米国環境保護局（ＵＳＥＰＡ）により必要とされるもの）を交換する直接植付過程は、土壌物質が水底に不均一に沈降する前に流れで物質を運び去る流れている河川内に土壌物質を搬送するか、または、取り除いて捨てる現行の方法に対してかなりの量の新しい土壌物質を節約する。魚類、水鳥、両生類、および、水生動物への環境上の便益は、生息地に植生を植え付け、且つ生態的機能を交替させるためにどの程度の時間がかかるかにより測定され得る。
【０１２４】
「ＧＲＥＥＮ  ＰＥＡＳ」プロセスを使用すると、栄養物質の豊富な動力ポッドが、川床に植え付ける前に植物の成長に活を入れる。根の領域の支援システムを既に提供できるため、「ＧＲＥＥＮ  ＰＥＡＳ」は機械式プロセスにより川床の土壌の下に定置され得る。このことは、植物生命体が川の流れで洗い流され得た落下定置技術を使用する現行の実施方法とは異なり得る。
【０１２５】
本発明の便益の要約として、本発明は、浄化操作の現場の周辺の生命体の質を保全する。装置１００および２００の操作は無視できる雑音しか出さず、汚染を作り出さず、且つ悪臭も出さない。このような便益は大衆により高く評価され、且つ歓迎されるものとなる。
【０１２６】
本発明の特定の実施形態が本明細書において例示の目的のために説明された一方、当業者には多くの修正および変更が明らかであろう。したがって、従属する特許請求の範囲は、全てのそのような修正および変更が本発明の真の精神および範囲内に該当するとして包含することを意図されている。
【図面の簡単な説明】
【０１２７】
【図１】本発明の実施形態による水本体における物質を除去し、且つ処理する装置であって、容器を含む装置を示す図である。
【図２Ａ】本発明の実施形態による水本体における物質を除去し、且つ処理する装置を示す図である。
【図２Ｂ】本発明の実施形態による水本体における物質を除去し、且つ処理する装置を示す図である。
【図３Ａ】本発明の実施形態による図２Ａおよび図２Ｂの装置を操作する方法のフローチャートである。
【図３Ｂ】本発明の実施形態による図２Ａおよび図２Ｂの装置を操作する方法のフローチャートである。
【図４】本発明の実施形態による環境を改善するための成長用パケットを示す図である。
【図５】本発明の実施形態による環境を改善するための成長用パケットを示す図である。
【図６Ａ】本発明の実施形態による図４および図５の成長用パケットを植え付けるために使用され得る植付システムを示す図である。
【図６Ｂ】本発明の実施形態による図６Ａの植付そりの底面図を含む図６Ａを示す図である。
【図７】本発明の実施形態による植付システムを操作する方法のフローチャートである。
【図８Ａ】本発明の実施形態による４つのカーテン板に結合された図１の容器の上面図である。
【図８Ｂ】本発明の実施形態による図８Ａの容器およびカーテン板の斜視図である。
【図８Ｃ】本発明の実施形態による、カーテン板が水本体の水底に沈下された後の図８Ａの容器およびカーテン板の側面図である。
【図９】本発明の実施形態による植付そりの分解側面立面図である。
【図１０】本発明の実施形態による毛布状巻物植付システム（ＢＲ植付システム）を示す図である。
【図１１】本発明の実施形態による杭打機ピストンを使用した植付方法を示す図である。
【図１２】本発明の実施形態による前掲の図２Ａに描かれたアタッチメントの分解図を示す装置の縦方向断面図である。
【図１３】本発明の実施形態による前掲の図２Ａに描かれたアタッチメントの分解図を示す装置の横方向断面図である。
【図１４】本発明の実施形態による前掲の図２Ａに描かれたアタッチメントの分解図を示す装置の縦方向断面図である。
【図１５】本発明の実施形態による図１、図２Ａ、および、図２Ｂに描かれた装置を操作する自動化された方法を示すフローチャートである。
【図１６】本発明の実施形態による図１、図２Ａ、および、図２Ｂに描かれた装置を自動的に操作するコンピュータの概略ブロック図である。
【図１】
2008509804.tif 000003
【図２Ａ】
2008509804.tif 000004
【図２Ｂ】
2008509804.tif 000005
【図３Ａ】
2008509804.tif 000006
【図３Ｂ】
2008509804.tif 000007
【図４】
2008509804.tif 000008
【図５】
2008509804.tif 000009
【図６Ａ】
2008509804.tif 000010
【図６Ｂ】
2008509804.tif 000011
【図７】
2008509804.tif 000012
【図８Ａ】
2008509804.tif 000013
【図８Ｂ】
2008509804.tif 000014
【図８Ｃ】
2008509804.tif 000015
【図９】
2008509804.tif 000016
【図１０】
2008509804.tif 000017
【図１１】
2008509804.tif 000018
【図１２】
2008509804.tif 000019
【図１３】
2008509804.tif 000020
【図１４】
2008509804.tif 000021
【図１５】
2008509804.tif 000022
【図１６】
2008509804.tif 000023
【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
開口部を含む容器であって、前記開口部が水本体の底に対面し、前記容器が、前記水本体の表面の下に実質的に完全に沈められている時、且つ前記容器が前記水本体の前記底に直接に物理的に接触している時に、前記容器は、当該容器の内部で、物質を収容且つ懸濁させるように構成される、容器と、
前記容器と結合される閉鎖環部導管システムであって、前記閉鎖環部導管システムは、懸濁された前記物質を、前記容器の内部から処理システムに搬送するように構成され、前記処理システムは、前記容器の外部で動作可能に結合されており、且つ前記懸濁された物質を前記容器の内部に返送するように構成される、閉鎖環部導管システムと、を含む装置。
【請求項２】
前記容器は、前記懸濁物質を懸濁するように構成され、且つパドル、掘削錐、スプレー頭部、鞭、杭柱、流体分配装置、および、ガス分配装置からなる群から選択される攪拌装置を含む、請求項１に記載の装置。
【請求項３】
前記容器に結合された監視装置をさらに含み、前記監視装置は前記容器の内部の前記物質を監視するように構成される、請求項１に記載の装置。
【請求項４】
前記閉鎖環部導管システムに結合された濾過システムをさらに含み、前記濾過システムは前記導管システムを介して搬送された前記物質を濾過するように構成される、請求項１に記載の装置。
【請求項５】
前記容器に結合された真空システムをさらに含み、前記真空システムは前記水本体の前記底上で前記容器を開放可能に密封するために、前記容器の前記内部の圧力を低下させるように構成される、請求項１に記載の装置。
【請求項６】
前記容器に結合された試験実施システムをさらに含み、前記試験実施システムは前記容器の前記内部で前記物質を試験するように構成される、請求項１に記載の装置。
【請求項７】
被汚染物質を処理する方法であって、
開口部を含む容器を設ける工程と、
前記開口部が前記被汚染物質と対面し、且つ前記被汚染物質と直接に物理的に接触するように前記容器を位置決めする工程と、
前記被汚染物質を前記容器の前記内部で、収容且つ懸濁させる工程と、
前記容器に結合された閉鎖環部導管システムを設ける工程と、
前記収容且つ懸濁された被汚染物質を、前記閉鎖環部を介して前記容器内部から前記容器の外部に搬送する工程と、
前記収容且つ懸濁された物質を処理する工程と、
前記懸濁且つ収容された物質を、前記閉鎖環部を介して前記容器の前記内部に返送する工程と、を含む方法。
【請求項８】
前記物質を前記容器の前記内部で懸濁する前記工程は、パドル、掘削錐、スプレー頭部、鞭、杭柱、流体分配装置、および、ガス分配装置からなる群から選択された攪拌装置を使用して行われる、請求項７に記載の方法。
【請求項９】
前記容器に結合された監視装置を設ける工程と、
前記監視装置を使用して、前記容器の前記内部の前記物質を監視する工程と、をさらに含む、請求項７に記載の方法。
【請求項１０】
前記閉鎖環部導管システムに結合された濾過システムを設ける工程と、
前記濾過システムを使用して、前記閉鎖環部導管システムを介して搬送された前記物質を濾過する工程と、をさらに含む、請求項７に記載の方法。
【請求項１１】
前記容器に結合された真空システムを設ける工程と、
前記真空システムを使用して、前記水本体の前記底上の前記容器を開放可能に密封するように前記容器の前記内部の圧力を低下させる工程と、をさらに含む、請求項７に記載の方法。
【請求項１２】
前記容器に結合された試験実施システムを設ける工程と、
前記試験実施システムを使用して、前記容器の前記内部の前記物質を試験する工程と、をさらに含む、請求項７に記載の方法。
【請求項１３】
開口部を含む容器であって、前記開口部が水本体の底および柔軟なスカートに対面し、前記柔軟なスカートが前記容器のリムから延在することにより、前記柔軟なスカートは前記リムの柔軟な延在を提供して、前記容器の外部から前記容器に含まれる領域を隔離するように、前記容器の前記柔軟なスカートが前記水本体の前記底に直接に物理的に接触できるようにする時に、前記容器は、当該容器内部で物質を収容且つ懸濁するように構成される、容器と、
前記容器と結合される第１の導管であって、前記第１の導管は、前記収容且つ懸濁された物質を前記容器の内部から、前記容器の外部に搬送するように構成され、前記第１の導管は、フィルタ、および、ドリル頭部または掘削錐からなる群から選択されたアタッチメントを含む、第１の導管と、を含む装置。
【請求項１４】
前記容器に結合され、且つ前記容器の前記内部に前記懸濁物質を返送するように構成された第２の導管をさらに含む、請求項１３に記載の装置。
【請求項１５】
前記第２の導管は、植物の成長のための物質を収容している成長用パケットを前記容器の前記内部に搬送するようにさらに構成される、請求項１４に記載の装置。
【請求項１６】
前記容器は、前記懸濁物質を懸濁するように構成され、且つパドル、掘削錐、スプレー頭部、鞭、杭柱、流体分配装置、および、ガス分配装置からなる群から選択される攪拌装置を含む、請求項１３に記載の装置。
【請求項１７】
前記容器に結合された観察装置をさらに含み、前記観察装置は前記容器の前記内部を観察するように構成される、請求項１３に記載の装置。
【請求項１８】
前記第１の導管に結合された濾過システムをさらに含み、前記濾過システムは前記第１の導管を介して搬送された前記物質を濾過するように構成される、請求項１３に記載の装置。
【請求項１９】
前記容器に結合されたポンプをさらに含み、前記ポンプは前記水本体の前記底上で前記容器を開放可能に密封するために前記容器の前記内部の圧力を低下させるように構成される、請求項１３に記載の装置。
【請求項２０】
前記容器に結合されたサンプル現場をさらに含み、前記サンプル現場は試験実施のために前記第１の導管から前記物質のサンプルを受領するように構成される、請求項１３に記載の装置。
【請求項２１】
開口部を含む容器であって、前記容器の前記開口部が水本体の底に対面し、且つ前記容器が前記水本体の前記底に直接に物理的に接触している時に、前記容器は、当該容器内部に物質を収容且つ懸濁するように構成される、容器と、
前記容器に結合される閉鎖環部導管システムであって、前記閉鎖環部導管システムは、前記収容且つ懸濁された物質を、前記容器内部から処理システムに搬送するように構成され、前記処理システムは、前記容器の外部で動作可能に結合されており、また前記閉鎖環部導管システムは、前記収容且つ懸濁された物質を前記容器の前記内部に返送するように構成される、閉鎖環部導管システムと、
持上装置であって、当該持上装置の第１端は、前記容器に結合され、且つ前記容器を位置決めするように構成され、前記持上装置の第２端は、ボートまたは艀に固定される、持上装置と、を含む装置。
【請求項２２】
処理のために水本体の底から物質を搬送する方法であって、
開口部を含む容器を設ける工程であって、前記開口部が水本体の底および柔軟なスカートに対面し、前記柔軟なスカートが前記容器のリムから延在することにより、前記柔軟なスカートは前記リムの柔軟な延在を提供して、前記容器の外部から前記容器に含まれる領域を隔離するように、前記容器の前記柔軟なスカートが前記水本体の前記底に直接に物理的に接触できるようにする時に、前記容器は、当該容器の内部で物質を収容且つ懸濁するように構成される、容器を設ける工程と、
前記開口部が前記水本体の前記底と対面し、且つ前記水本体の前記底と直接物理的に接触するように、前記容器を位置決めする工程と、
前記物質を前記容器内部に収容且つ懸濁する工程と、
前記容器に結合された開放環状導管システムを設ける工程と、
前記収容且つ懸濁された物質を、前記開放環状導管システムを介して、前記容器の内部から前記容器の外部に搬送する工程と、を含む方法。
【請求項２３】
前記容器に結合された第２の導管を設ける工程と、
前記収容且つ懸濁された物資から汚染物質を取り除く工程と、
前記第２の導管を介して、前記収容且つ懸濁された物質を返送する工程であって、前記収容且つ懸濁された物質から、前記汚染物質が前記容器の前記内部に取り除かれる、返送する工程と、をさらに含む、請求項２２に記載の方法。
【請求項２４】
前記第２の導管を介して、植物の成長のための物質を収容する成長用パケットを前記容器の前記内部に搬送する工程をさらに含む、請求項２３に記載の方法。
【請求項２５】
前記収容且つ懸濁する工程は、
前記容器に結合される攪拌装置を設ける工程であって、前記攪拌装置は、パドル、掘削錐、スプレー頭部、鞭、杭柱、流体分配装置、および、ガス分配装置からなる群から選択される、攪拌装置を設ける工程をさらに含む、請求項２２に記載の方法。
【請求項２６】
前記容器に結合された観察装置を設ける工程をさらに含む、請求項２２に記載の方法。
【請求項２７】
前記第１の導管に結合された濾過システムを設ける工程をさらに含む、請求項２２に記載の方法。
【請求項２８】
前記容器に結合されたポンプを設ける工程と、
前記ポンプを使用して、前記水本体の前記底上の前記容器を開放可能に密封するように前記容器の前記内部の圧力を低下させる工程と、をさらに含む、請求項２２に記載の方法。
【請求項２９】
前記第１の導管に結合されたサンプル現場を設ける工程と、
試験実施のために前記第１の導管において前記物質のサンプルを前記サンプル現場に搬送する工程と、をさらに含む、請求項２２に記載の方法。
【請求項３０】
多孔性の壁を有する容器であって、前記容器の内部と外部との間で、空気および水を交換するように構成され、且つ水本体の底に沈むように構成され、且つ植物の成長を加速させるための内蔵成長物質を収容する、容器を含む、成長用パケット。
【請求項３１】
損害を受けた生態系を再開させるための物質をさらに含んでおり、前記物質は前記容器に収納される、請求項３０に記載の成長用パケット。
【請求項３２】
水本体の底における成長環境を改善するための方法であって、
多孔性の壁を有する容器を設ける工程であって、前記容器は、当該容器の内部と外部との間で空気および水を交換するように構成される、工程と、
前記容器内に植物の成長を加速させるための内蔵成長物質を供給する工程と、
前記容器を前記水本体の前記底に沈める工程と、を含む方法。
【請求項３３】
損害を受けた生態系を再開させるための物質を供給する工程をさらに含んでおり、前記物質は前記容器に収納される、請求項３２に記載の方法。
【請求項３４】
多孔性の壁を有する容器であって、前記容器の内部と外部との間で空気および水を交換するように構成され、且つ水本体の水面に浮くように構成される、容器と、
植物の成長を加速させるための前記容器内の内蔵成長物質と、を含む成長用パケット。
【請求項３５】
前記容器の前記内部に収納され、且つ前記成長用パケットを前記水本体の前記水面に浮かせるように構成された少なくとも１つの浮袋をさらに含む、請求項３４に記載の成長用パケット。
【請求項３６】
損害を受けた生態系を再開させるための物質をさらに含んでおり、前記物質は前記容器に収納される、請求項３４に記載の成長用パケット。
【請求項３７】
水本体における成長環境を改善するための方法であって、
多孔性の壁を有する容器を設ける工程であって、前記容器は、当該容器の内部と外部との間で空気および水を交換するように構成された工程と、
前記容器内に植物の成長を加速させるための内蔵成長物質を供給する工程と、
前記容器を浮かせる工程と、を含む方法。
【請求項３８】
前記容器の前記内部に収納された少なくとも１つの浮袋を設ける工程であって、前記少なくとも１つの浮袋は、前記水本体の前記水面に前記容器を浮かせるように構成される工程をさらに含む、請求項３７に記載の方法。
【請求項３９】
損傷を受けた生態系を再開させるための物質を供給する工程をさらに含んでおり、前記物質は前記容器内にある、請求項３７に記載の方法。
【請求項４０】
容器であって、前記容器の内部と外部との間で空気および水を交換するように構成され、且つ少なくとも１つの質量が動作可能に結合され、且つ植物の成長を加速させるための内蔵成長物質を収容する、容器を含む、成長用パケット。
【請求項４１】
前記少なくとも１つの質量は前記容器の内部に収納される、請求項４０に記載の成長用パケット。
【請求項４２】
水本体の底における成長環境を改善するための方法であって、
容器を設ける工程であって、前記容器の内部と外部との間で空気および水を交換するように構成された工程と、
前記容器内に内蔵植物成長のための物質を供給する工程と、
前記容器に結合された少なくとも１つの質量物を設ける工程と、
前記少なくとも１つの質量物を使用して、前記容器を前記水本体の前記底に沈める工程と、を含む方法。
【請求項４３】
前記少なくとも１つの質量物は前記容器の内部に収納される、請求項４２に記載の方法。
【請求項４４】
多孔性の壁を有する容器であって、前記容器の内部と外部との間で空気および水を交換するように構成され、且つ内蔵植物成長のための物質を含む容器と、
前記容器に結合された少なくとも１つの浮きと、を含む成長用パケット。
【請求項４５】
前記少なくとも１つの浮きは前記容器内部に収納される、請求項４４に記載の成長用パケット。
【請求項４６】
水本体における成長環境を改善するための方法であって、
多孔性の壁を有し、且つ動作可能に結合された浮きを有する容器を設ける工程であって、前記容器は前記容器の内部と外部との間で空気および水を交換するように構成される、工程と、
前記容器内に収納された内蔵植物成長のための物質を供給する工程と、を含む方法。
【請求項４７】
前記少なくとも１つの浮きは前記容器内部に収納される、請求項４６に記載の方法。
【請求項４８】
被汚染物質処理システムであって、
開口部を含む容器であって、前記開口部が水本体の底上の被汚染物質の層に対面し、且つ前記開口部が前記被汚染物質の頂部層に直接に物理的に接触している時に、前記容器の内部に前記被汚染物質を収容且つ懸濁するように構成され、ならびに、前記被汚染物質の前記頂部層の所定の厚さが、前記容器の前記内部で懸濁されるまで前記被汚染物質を懸濁するように構成される、容器を含む、システム。
【請求項４９】
前記容器に結合される監視装置であって、前記被汚染物質の前記頂部層の前記所定の厚さが前記容器の前記内部で懸濁されたか否かを決定するように構成される、監視装置をさらに含む、請求項４８に記載のシステム。
【請求項５０】
前記監視装置はソナー装置である、請求項４９に記載のシステム。
【請求項５１】
前記容器に結合される第１の導管であって、前記容器の前記内部に処理用化学物質を搬送するように構成される、第１の導管をさらに含む、請求項４８に記載のシステム。
【請求項５２】
水本体の底における被汚染物質を処理するための方法であって、
開口部を含む容器を設ける工程と、
前記開口部が前記水本体の前記底上の被汚染物質の層に対面し、且つ前記被汚染物質の頂部層と直接に物理的に接触するように、前記容器を定置する工程と、
前記被汚染物質の前記頂部層の所定の厚さが、前記容器の前記内部で懸濁されるまで、前記被汚染物質を懸濁する工程と、を含む方法。
【請求項５３】
前記容器に結合された監視装置を設ける工程と、
前記監視装置を使用して、前記被汚染物質の前記頂部層の前記所定の厚さが、前記容器の前記内部で懸濁されたか否かを決定する工程と、をさらに含む、請求項５２に記載の方法。
【請求項５４】
前記監視装置はソナー装置である、請求項５２に記載の方法。
【請求項５５】
前記容器に結合された第１の導管を設ける工程と、
処理用化学物質を前記第１の導管を介して前記容器の前記内部に搬送する工程と、をさらに含む、請求項５２に記載の方法。
【請求項５６】
水本体の底における沈殿物層中に成長用パケットを植え付けるための植付システムであって、
前記沈殿物層の表面形状に沿って移動するように構成された植付そりと、
前記植付そりに結合され、且つ前記沈殿物層の表面形状に沿って移動する前記植付そりに応じて、前記沈殿物層中に溝を形成するように構成される、前側プラウと、
前記植付そりに結合され、且つ前記沈殿物層の表面形状に沿って移動する前記植付そりに応じて、前記溝の中に沈殿物質を移動するように構成される、後側プラウと、を含む成長システム。
【請求項５７】
前記植付そりに結合され、且つ成長用パケットを前記溝内に送達するように構成される位置合わせ導管をさらに含む、請求項５６に記載のシステム。
【請求項５８】
前記位置合わせ導管に結合され、柔軟であり、且つ前記成長用パケットを前記位置合わせ導管に搬送するように構成される搬送導管をさらに含む、請求項５７に記載のシステム。
【請求項５９】
前記搬送導管に結合され、且つ前記搬送導管および前記位置合わせ導管を介して前記溝内に送達される成長用パケットを保存するように構成される成長用パケット容器をさらに含む、請求項５８に記載のシステム。
【請求項６０】
第１の端部および第２の端部を含む傾斜バーをさらに含み、前記第１の端部は前記位置合わせ導管に結合され、且つ前記第２の端部は浮き手段に結合されるように構成され、水面上を前進する前記浮き手段に応じて、前記植付そりが前記沈殿物層の表面形状に沿って移動するように、前記傾斜バーが前記第２の端部の周囲を回転すべく構成される、請求項５７に記載のシステム。
【請求項６１】
前記傾斜バーに結合され、且つ垂直に滑動するように構成された垂直バーをさらに含む、請求項６０に記載のシステム。
【請求項６２】
水本体の底の沈殿物層内に成長用パケットを植え付ける方法であって、
前側プラウおよび後側プラウを含む植付そりを設ける工程と、
前記前側プラウを使用して、前記沈殿物層の表面形状に沿って移動する前記植付そりに応じて、前記沈殿物層中に溝を形成する工程と、
前記後側プラウを使用して、前記沈殿物層の表面形状に沿って移動する前記植付そりに応じて、前記溝の中に沈殿物質を移動する工程と、を含む方法。
【請求項６３】
前記植付そりに結合された位置合わせ導管を設ける工程と、
前記位置合わせ導管を介して、成長用パケットを前記溝内に送達する工程と、をさらに含む、請求項６２に記載の方法。
【請求項６４】
前記位置合わせ導管に結合された柔軟な搬送導管を設ける工程と、
前記搬送導管を介して、前記位置合わせ導管に前記成長用パケットを搬送する工程と、をさらに含む、請求項６３に記載の方法。
【請求項６５】
前記搬送導管に結合された成長用パケット容器と、
前記搬送導管および前記位置合わせ導管を介して、前記溝内に送達される成長用パケットを前記成長用パケット容器内に保存する工程と、をさらに含む、請求項６４に記載の方法。
【請求項６６】
第１の端部および第２の端部を有する傾斜バーを設ける工程であって、前記第１の端部は前記位置合わせ導管に結合され、且つ前記第２の端部は浮きに結合されるように構成される、傾斜バーを設ける工程と、
水面上を前進する前記浮きに応じて、前記植付そりを前記沈殿物層の表面形状に沿って移動させるように、前記第２の端部の周囲で前記傾斜バーを回転する工程と、をさらに含む、請求項６３に記載の方法。
【請求項６７】
前記傾斜バーに結合された垂直バーを設ける工程と、
水面上を前進する前記浮き手段に応じて、前記植付そりが前記沈殿物層の表面形状に沿って移動することに役立つように、前記垂直バーを垂直に滑動させる工程と、をさらに含む、請求項６６に記載の方法。
【請求項６８】
水本体中に密閉空間を形成するための構造体であって、
第１、第２、第３、および、第４の側板、天板、ならびに、開口部を含む多角形形状の容器であって、前記多角形形状の容器は、前記開口部が前記水本体の前記底に対面して、前記水本体中に沈下されるように構成される、容器と、
それぞれ前記第１、前記第２、前記第３、および、前記第４の側板に接触し、且つ結合された第１、第２、第３、および、第４のカーテン板であって、前記水本体の前記底に沈下されるように構成される、第１、第２、第３、および、第４のカーテン板と、を含む構造体。
【請求項６９】
前記第１および前記第２のカーテン板は、前記長方形容器の各反対側にあり、前記第３および前記第４のカーテン板は前記長方形容器の各反対側にあり、かつ
前記第１および前記第２のカーテン板は、前記容器の前記第１および前記第２の側板よりも長さが長く、前記第３および前記第４のカーテン板は、前記容器の前記第３および前記第４の側板と長さが同じである、請求項６８に記載の構造体。
【請求項７０】
第１および第２の杭打機と、
それぞれ前記第１および前記第２の杭打機の内部を滑動するように構成される、第１および第２のピストンと、
前記第１および第２のピストンを、それぞれ前記第１のカーテン板に結合する第１および第２の単一平面コネクタであって、前記第１のカーテン板が前記容器の前記第１の側板に平行な平面内でのみ回転することを可能にする第１および第２の単一平面コネクタと、をさらに含む、請求項６９に記載の構造体。
【請求項７１】
第３および第４の杭打機と
それぞれ前記第３および前記第４の杭打機の内部を滑動するように構成された第３および第４のピストンと、
前記第３および第４のピストンをそれぞれ前記第２のカーテン板に結合する第３および第４の単一平面コネクタであって、前記第２のカーテン板が前記容器の前記第２の側板に平行な平面内でのみ回転することを可能にする第３および第４の単一平面コネクタと、をさらに含む、請求項７０に記載の構造体。
【請求項７２】
前記第１および第２の杭打機の各々は、前記容器に固定された点の周囲で、且つ前記第１の側板に平行な平面内でのみ回転するように構成され、
前記第３および第４の杭打機の各々は、前記容器に固定された点の周囲で、且つ前記第２の側板に平行な平面内でのみ回転するように構成される、請求項７１に記載の構造体。
【請求項７３】
水本体の底に密閉空間を形成するための方法であって、
第１、第２、第３、および、第４の側板、天板、ならびに、開口部を含む多角形形状の容器を設ける工程であって、前記容器の開面が前記水本体の底に面する、工程と、
それぞれ前記第１、前記第２、前記第３、および、前記第４の側板に接触し、且つ結合された第１、第２、第３、および、第４のカーテン板を設ける工程と、
前記第１、前記第２、前記第３、および、前記第４のカーテン板を、前記水本体の前記底に沈下させる工程と、を含む方法。
【請求項７４】
前記第１および前記第２のカーテン板は、前記長方形容器の各反対側にあり、前記第３および前記第４のカーテン板は前記長方形容器の各反対側にあり、且つ
前記第１および前記第２のカーテン板は、前記容器の前記第１および前記第２の側板よりも長さが長く、前記第３および前記第４のカーテン板は、前記容器の前記第３および前記第４の側板と長さが同じである、請求項７３に記載の方法。
【請求項７５】
前記第１の側板に結合された第１および第２の杭打機を設ける工程と、
それぞれ前記第１および前記第２の杭打機の内部を滑動するように構成された第１および第２のピストンを設ける工程と、
前記第１および第２のピストンをそれぞれ前記第１のカーテン板に結合する第１および第２の単一平面コネクタを設ける工程と、
前記第１のカーテン板を、前記水本体の前記底に沈下された前記第１のカーテン板に応じて、前記容器の前記第１の側板に平行な平面内でのみ回転させる工程と、をさらに含む、請求項７４に記載の方法。
【請求項７６】
前記第２の側板に結合された第３および第４の杭打機を設ける工程と、
それぞれ前記第３および前記第４の杭打機の内部を滑動するように構成された第３および第４のピストンを設ける工程と、
前記第３および第４のピストンをそれぞれ前記第２のカーテン板に結合する第３および第４の単一平面コネクタを設ける工程と、
前記第２のカーテン板を、前記水本体の前記底に沈下された前記第２のカーテン板に応じて、前記容器の前記第２の側板に平行な平面内でのみ回転させる工程と、をさらに含む、請求項７５に記載の方法。
【請求項７７】
前記第１および第２の杭打機の各々を、前記水本体の前記底に沈下された前記第１のカーテン板に応じて、前記容器に固定された点の周囲で、且つ前記第１の側板に平行な平面内でのみ回転させる工程と、
前記第３および第４の杭打機の各々を、前記水本体の前記底に沈下された前記第２のカーテン板に応じて、前記容器に固定された点の周囲で、且つ前記第２の側板に平行な平面内でのみ回転させる工程と、をさらに含む、請求項７６に記載の方法。
【請求項７８】
前記水本体の前記底の傾斜方向が前記第３のカーテン板から前記第４のカーテン板となるように前記容器を位置決めする工程をさらに含む、請求項７４に記載の方法。
【請求項７９】
内部に少なくとも１つの成長用パケットを有する生分解性材料で作られる毛布状巻物であって、前記成長用パケットは種子または挿し木または苗を含む、毛布状巻物と、
杭および成長用パケットの送達システムであって、前記杭および成長用パケットの送達システムは、杭供給装置、杭送達導管を含み、前記杭は、杭打機ピストンの軌跡、毛布状巻物誘導システム内を移動し、前記毛布状巻物誘導システムは、前記毛布状巻物が前記杭打機ピストンの前記軌跡を通過するように、前記杭が前記杭打機ピストンにより土壌中にねじ込まれるように、土壌上の前記毛布状巻物の敷設を誘導する、送達システムと、を含む毛布状巻物植付システム。
【請求項８０】
前記毛布状巻物誘導システムは溝を有する車輪である、請求項７９に記載のシステム。
【請求項８１】
前記毛布状巻物の前記生分解性材料は黄麻布である、請求項７９に記載のシステム。
【請求項８２】
前記毛布状巻物は植物栄養物質を含む、請求項７９に記載のシステム。
【請求項８３】
前記杭は、木材、プラスチック、または、金属で作られる、請求項７９に記載のシステム。
【請求項８４】
前記土壌は、河川の底の一部、水本体の辺縁部、または、海岸線の一部である、請求項７９に記載のシステム。
【請求項８５】
前記毛布状巻物は、約３０．５ｃｍから３０５ｍ（約１から１，０００フィート）の長さであり、且つ約１５．２ｃｍから約３０５ｃｍ（約６インチから約１０フィート）の幅である、請求項７９に記載のシステム。
【請求項８６】
前記成長用パケットは、直径が約２．５４ｃｍから約３０．５ｃｍ（約１から約１２インチ）である、請求項７９に記載のシステム。
【請求項８７】
毛布状巻物を設ける工程であって、前記毛布状巻物は少なくとも１つの成長用パケットを含む、工程と、
杭および成長用パケットの送達システムを設ける工程であって、前記杭および成長用パケットの送達システムは、杭供給装置、杭送達導管を含み、前記杭は、杭打機ピストンの軌跡、毛布状巻物誘導システム内に移動し、前記毛布状巻物誘導システムは、前記杭が、前記杭打機ピストンにより土壌中にねじ込まれるように、前記毛布状巻物が前記杭打機ピストンの前記軌跡を通過するように、前記土壌上への前記毛布状巻物の敷設を駆動する、送達システムと、を含む工程と、を含む植え付ける方法。
【請求項８８】
前記毛布状巻物誘導システムは溝を有する車輪である、請求項８７に記載の方法。
【請求項８９】
前記毛布状巻物は黄麻布で作られる、請求項８７に記載の方法。
【請求項９０】
前記毛布状巻物は植物栄養物質を含む、請求項８７に記載の方法。
【請求項９１】
前記杭は木材またはプラスチックまたは金属から作られる、請求項８７に記載の方法。
【請求項９２】
前記土壌は、河川の底の一部、水本体の辺縁部、または、海岸線の一部である、請求項８７に記載の方法。
【請求項９３】
前記毛布状巻物は、約３０．５ｃｍから３０５ｍ（約１から１，０００フィート）の長さであり、且つ約１５．２ｃｍから約３０５ｃｍ（約６インチから約１０フィート）の幅である、請求項８７に記載の方法。
【請求項９４】
前記成長用パケットは、直径が約２．５４ｃｍから約３０．５ｃｍ（約１から約１２インチ）である、請求項８７に記載の方法。
【請求項９５】
開口部を含む容器であって、前記開口部が水本体の底に対面し、且つ前記容器が前記水本体の前記底に直接に物理的に接触している時に、前記容器は、当該容器の内部で、物質を収容且つ懸濁させるように構成されている、容器と、
前記容器に結合され、前記容器の内部から前記容器の外部へ前記収容且つ懸濁された物質を搬送する、第１導管であって、前記第１導管は、フィルタ、ドリル頭部、掘削錐からなる群から選択されるアタッチメントを含む、第１導管と、
前記容器に結合され、前記懸濁された物質を前記容器の内部に返送するように構成される、第２導管であって、前記第２導管は、さらに直物成長のための物質を含む成長用パケットを、前記容器の内部に搬送するように構成される、第２導管と、を含む装置。
【請求項９６】
処理のために水本体の底から物質を搬送する方法であって、
開口部を含む容器を設ける工程と、
前記開口部が前記水本体の前記底と対面し、且つ前記水本体の前記底と直接物理的に接触するように、前記容器を位置決めする工程と、
前記物質を前記容器内部に収容且つ懸濁する工程と、
前記容器に結合された開放環状導管システムを設ける工程と、
前記収容且つ懸濁された物質を、前記開放環状導管システムを介して、前記容器の内部から前記容器の外部に搬送する工程と、
前記容器に結合される第２導管を設ける工程と、
前記第２導管を介して、前記懸濁された物質を前記容器の内部に返送し、且つ前記第２導管を介して、直物成長のための物質を含む成長用パケットを、前記容器の内部に搬送する工程と、を含む方法
【手続補正２】
【補正対象書類名】明細書
【補正対象項目名】００４４
【補正方法】変更
【補正の内容】
【００４４】
図２Ａおよび図２Ｂは、本発明の実施形態による少なくとも１つの「開放または閉鎖環部」導管システム１８８を含む、開放または閉鎖環部抽出弁当箱（Ｏｐｅｎ  ｏｒ  Ｃｌｏｓｅｄ  Ｌｏｏｐ  Ｅｘｔｒａｃｔｉｏｎ  Ｌｕｎｃｈ  Ｂｏｘ（ＯＣＬＥＬＢ））などの装置２００を示す。装置２００は、例示として、容器２１０、少なくとも１つの導管２４５ａ、２４５ｂ、２４５ｃ、２４７ａ、２４７ｂ、２４７ｃ、および、２４８、少なくとも１つの攪拌装置２３５ａ、２３５ｂ、２３５ｃ、２３５ｄ、２２５ａ、２２５ｂ、および、２２７、少なくとも１つの観察装置２０５ａ、２０５ａ’、および、２０５ｂ、２０５ｂ’、少なくとも１つのサンプル採取現場３１０ａ、３１０ｂ、３１０ｃ、および、３１０ｄ、少なくとも１つの処理システム３２０、ならびに／または、濾過システム３３０、ならびに／または、バイパスシステム３４０、ならびに／または、汚染物質保持現場３５０、ならびに／または、清浄保持現場３６０、ならびに／または、追加装置現場３７０、ならびに／または、ポンプ、ならびに／または、発電施設３９０、ならびに／または、少なくとも１つの遮断弁４０５〜４８２を含むことができる。図４に示されかつ関連する文章に記載されているように、成長用パケット７８０は、後述の図６Ａ、図９、図１０に示される、装置１００または２００、もしくは植付システム１０００または３０００のようなシステムによってポンプ送達されてもよく、このシステムは、土壌の腐食制御のために河川の水底におけるように、岸線の上方であっても下方であっても、成長用パケット９００および３１１０を、土壌にポンプ送達するために用いられる。
【手続補正３】
【補正対象書類名】図面
【補正対象項目名】図２Ｂ
【補正方法】変更
【補正の内容】
【図２Ｂ】
2008509804.tif 000024
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
開口部を含む容器であって、前記開口部が水本体の底および柔軟なスカートに対面し、前記柔軟なスカートが前記容器のリムから延在することにより、前記柔軟なスカートは前記リムの柔軟な延在を提供して、前記容器の外部から前記容器に含まれる領域を隔離するように、前記容器の前記柔軟なスカートが前記水本体の前記底に直接に物理的に接触できるようにする時に、前記容器は、当該容器内部で物質を収容且つ懸濁するように構成される、容器と、
前記容器と結合される第１の導管であって、前記第１の導管は、前記収容且つ懸濁された物質を前記容器の内部から、前記容器の外部に搬送するように構成され、前記第１の導管は、フィルタ、および、ドリル頭部または掘削錐からなる群から選択されたアタッチメントを含む、第１の導管と、を含む装置。
【請求項２】
前記容器に結合され、且つ前記容器の前記内部に前記懸濁物質を返送するように構成された第２の導管をさらに含む、請求項１に記載の装置。
【請求項３】
前記第２の導管は、植物の成長のための物質を収容している成長用パケットを前記容器の前記内部に搬送するようにさらに構成される、請求項２に記載の装置。
【請求項４】
前記容器は、前記懸濁物質を懸濁するように構成され、且つパドル、掘削錐、スプレー頭部、鞭、杭柱、流体分配装置、および、ガス分配装置からなる群から選択される攪拌装置を含む、請求項１に記載の装置。
【請求項５】
前記容器に結合された観察装置をさらに含み、前記観察装置は前記容器の前記内部を観察するように構成される、請求項１に記載の装置。
【請求項６】
前記第１の導管に結合された濾過システムをさらに含み、前記濾過システムは前記第１の導管を介して搬送された前記物質を濾過するように構成される、請求項１に記載の装置。
【請求項７】
前記容器に結合されたポンプをさらに含み、前記ポンプは前記水本体の前記底上で前記容器を開放可能に密封するために前記容器の前記内部の圧力を低下させるように構成される、請求項１に記載の装置。
【請求項８】
前記容器に結合されたサンプル現場をさらに含み、前記サンプル現場は試験実施のために前記第１の導管から前記物質のサンプルを受領するように構成される、請求項１に記載の装置。
【請求項９】
処理のために水本体の底から物質を搬送する方法であって、
開口部を含む容器を設ける工程であって、前記開口部が水本体の底および柔軟なスカートに対面し、前記柔軟なスカートが前記容器のリムから延在することにより、前記柔軟なスカートは前記リムの柔軟な延在を提供して、前記容器の外部から前記容器に含まれる領域を隔離するように、前記容器の前記柔軟なスカートが前記水本体の前記底に直接に物理的に接触できるようにする時に、前記容器は、当該容器の内部で物質を収容且つ懸濁するように構成される、容器を設ける工程と、
前記開口部が前記水本体の前記底と対面し、且つ前記水本体の前記底と直接物理的に接触するように、前記容器を位置決めする工程と、
前記物質を前記容器内部に収容且つ懸濁する工程と、
前記容器に結合された開放環状導管システムを設ける工程と、
前記収容且つ懸濁された物質を、前記開放環状導管システムを介して、前記容器の内部から前記容器の外部に搬送する工程と、を含む方法。
【請求項１０】
前記容器に結合された第２の導管を設ける工程と、
前記収容且つ懸濁された物資から汚染物質を取り除く工程と、
前記第２の導管を介して、前記収容且つ懸濁された物質を返送する工程であって、前記収容且つ懸濁された物質から、前記汚染物質が前記容器の前記内部に取り除かれる、返送する工程と、をさらに含む、請求項９に記載の方法。
【請求項１１】
前記第２の導管を介して、植物の成長のための物質を収容する成長用パケットを前記容器の前記内部に搬送する工程をさらに含む、請求項１０に記載の方法。
【請求項１２】
前記収容且つ懸濁する工程は、
前記容器に結合される攪拌装置を設ける工程であって、前記攪拌装置は、パドル、掘削錐、スプレー頭部、鞭、杭柱、流体分配装置、および、ガス分配装置からなる群から選択される、攪拌装置を設ける工程をさらに含む、請求項９に記載の方法。
【請求項１３】
前記容器に結合された観察装置を設ける工程をさらに含む、請求項９に記載の方法。
【請求項１４】
前記第１の導管に結合された濾過システムを設ける工程をさらに含む、請求項９に記載の方法。
【請求項１５】
前記容器に結合されたポンプを設ける工程と、
前記ポンプを使用して、前記水本体の前記底上の前記容器を開放可能に密封するように前記容器の前記内部の圧力を低下させる工程と、をさらに含む、請求項９に記載の方法。
【請求項１６】
前記第１の導管に結合されたサンプル現場を設ける工程と、
試験実施のために前記第１の導管において前記物質のサンプルを前記サンプル現場に搬送する工程と、をさらに含む、請求項９に記載の方法。
【請求項１７】
開口部を含む容器であって、前記開口部が水本体の底に対面し、且つ前記容器が前記水本体の前記底に直接に物理的に接触している時に、前記容器は、当該容器の内部で、物質を収容且つ懸濁させるように構成されている、容器と、
前記容器に結合され、前記容器の内部から前記容器の外部へ前記収容且つ懸濁された物質を搬送する、第１導管であって、前記第１導管は、フィルタ、ドリル頭部、掘削錐からなる群から選択されるアタッチメントを含む、第１導管と、
前記容器に結合され、前記懸濁された物質を前記容器の内部に返送するように構成される、第２導管であって、前記第２導管は、さらに直物成長のための物質を含む成長用パケットを、前記容器の内部に搬送するように構成される、第２導管と、を含む装置。
【請求項１８】
処理のために水本体の底から物質を搬送する方法であって、
開口部を含む容器を設ける工程と、
前記開口部が前記水本体の前記底と対面し、且つ前記水本体の前記底と直接物理的に接触するように、前記容器を位置決めする工程と、
前記物質を前記容器内部に収容且つ懸濁する工程と、
前記容器に結合された開放環状導管システムを設ける工程と、
前記収容且つ懸濁された物質を、前記開放環状導管システムを介して、前記容器の内部から前記容器の外部に搬送する工程と、
前記容器に結合される第２導管を設ける工程と、
前記第２導管を介して、前記懸濁された物質を前記容器の内部に返送し、且つ前記第２導管を介して、直物成長のための物質を含む成長用パケットを、前記容器の内部に搬送する工程と、を含む方法。
【国際調査報告】
2008509804.tif 000025
2008509804.tif 000026
2008509804.tif 000027
2008509804.tif 000028